(57)【要約】【課題】画像表示期間を長くすることができる。【解決手段】第１群及び第２群の電極を含むタッチ検出部と、表示部と、第１のフレーム周波数で表示及びタッチ検出を行う第１の動作モードと、第２のフレーム周波数で表示及びタッチ検出を行う第２の動作モードと、を有する制御部と、を備える。制御部は、第１の動作モードのタッチ検出期間では、タッチ検出駆動信号を第１群の電極に順次供給し、第１群の電極と第２群の電極との間の相互静電容量に基づいてタッチ検出を行い、第２の動作モードのタッチ検出期間では、タッチ検出駆動信号を第１群の電極に一斉に供給して、第１群の電極の自己静電容量に基づいてタッチ検出を行い、タッチ検出駆動信号を第２群の電極に一斉に供給して、第２群の電極の自己静電容量に基づいてタッチ検出を行う。【選択図】図１
2018045283.tif 000002
【特許請求の範囲】
【請求項１】
第１の方向に沿って延在する第１群の電極と、第１の方向と交差する第２の方向に沿って延在する第２群の電極と、を含むタッチ検出部と、
画像を表示する表示部と、
第１のフレーム周波数で画像を表示し並びに被検出物の接触又は近接を検出するタッチ検出を行う第１の動作モードと、前記第１のフレーム周波数と異なる第２のフレーム周波数で画像を表示し及びタッチ検出を行う第２の動作モードと、を有する制御部と、
を備え、
前記制御部は、
前記第１の動作モードのタッチ検出期間では、タッチ検出駆動信号を前記第１群の電極に順次供給し、前記第１群の電極と前記第２群の電極との間の相互静電容量に基づいてタッチ検出を行い、前記第２の動作モードのタッチ検出期間では、タッチ検出駆動信号を前記第１群の電極に一斉に供給して、前記第１群の電極の自己静電容量に基づいてタッチ検出を行い、タッチ検出駆動信号を前記第２群の電極に一斉に供給して、前記第２群の電極の自己静電容量に基づいてタッチ検出を行う
タッチ検出機能付き表示装置。
【請求項２】
前記第１群の電極は、前記タッチ検出部と前記表示部とで兼用される
請求項１に記載のタッチ検出機能付き表示装置。
【請求項３】
前記タッチ検出部及び前記表示部は、各々が複数のラインを含む複数のユニットで構成され、
前記第１の動作モードでは、前記複数のユニットに対する複数の画像表示期間の間に、前記複数のユニットに対する複数のタッチ検出期間がそれぞれ設けられ、
前記第２の動作モードでは、前記複数のユニットに対する複数の画像表示期間が続けて設けられる
請求項２に記載のタッチ検出機能付き表示装置。
【請求項４】
前記第１の動作モードの画像表示期間の長さと前記第２の動作モードの画像表示期間の長さとは異なる
請求項１から３のいずれか１項に記載のタッチ検出機能付き表示装置。
【請求項５】
前記第２のフレーム周波数は、前記第１のフレーム周波数より低い
請求項１から４のいずれか１項に記載のタッチ検出機能付き表示装置。
【請求項６】
前記第２のフレーム周波数は、前記第１のフレーム周波数より高い
請求項１から４のいずれか１項に記載のタッチ検出機能付き表示装置。
【請求項７】
前記制御部は、
画像を表示するための表示制御部を含み、
前記表示制御部は、
前記表示部内の画素に供給される画素信号が時分割多重化された画像信号及び前記画像信号に多重化された前記画素信号を分離するための制御信号を出力するソースドライバと、
前記制御信号に基づいて前記画像信号に多重化された前記画素信号を分離して、前記表示部に出力するソースセレクタと、
を含み、
前記ソースドライバは、
前記第２の動作モードでは、前記制御信号をローレベルからハイレベルに変化させる際に、前記制御信号をローレベルから、ローレベルとハイレベルとの間の中間レベルに変化させ、その後、前記制御信号を中間レベルからハイレベルに変化させ、前記制御信号をハイレベルからローレベルに変化させる際に、前記制御信号をハイレベルから中間レベルに変化させ、その後、前記制御信号を中間レベルからローレベルに変化させる
請求項１から６のいずれか１項に記載のタッチ検出機能付き表示装置。
【請求項８】
前記制御部は、
被検出物の接触又は近接を検出するためのタッチ検出制御部を含み、
前記タッチ検出制御部は、
前記第１群の電極と前記第２群の電極との間の相互静電容量に基づいてタッチ検出を行う場合には、前記第１群の電極に向けたタッチ検出信号を順次出力し、前記第１群の電極の自己静電容量に基づいてタッチ検出を行う場合には、前記第１群の電極に向けたタッチ検出信号を一斉に出力し、前記第２群の電極の自己静電容量に基づいてタッチ検出を行う場合には、前記第２群の電極に向けたタッチ検出信号を一斉に出力するタッチドライバと、
前記第１群の電極の自己静電容量に基づいてタッチ検出を行う場合には、前記タッチドライバと前記第１群の電極とを導通するセルフブロックと、
前記第１群の電極と前記第２群の電極との間の相互静電容量に基づいてタッチ検出を行う場合には、前記第１群の電極の内の１つの電極と前記タッチドライバとを導通するセレクタと、を含む
請求項１から７のいずれか１項に記載のタッチ検出機能付き表示装置。
【請求項９】
前記制御部は、
前記第２の動作モードのタッチ検出期間では、タッチ検出駆動信号を前記第１群の電極及び第２群の電極に一斉に供給して、前記第１群の電極の自己静電容量及び前記第２群の電極の自己静電容量に基づいてタッチ検出を行う
請求項１から８のいずれか１項に記載のタッチ検出機能付き表示装置。
【請求項１０】
前記制御部は、
前記第２の動作モードのタッチ検出期間では、タッチ検出駆動信号を前記第１群の電極及び第２群の電極の内の一群に一斉に供給して、前記第１群の電極及び前記第２群の電極の内の一群の自己静電容量に基づいてタッチ検出を行い、その後、タッチ検出駆動信号を前記第１群の電極及び第２群の電極の内の他の一群に一斉に供給して、前記第１群の電極及び前記第２群の電極の内の他の一群の自己静電容量に基づいてタッチ検出を行う
請求項１から８のいずれか１項に記載のタッチ検出機能付き表示装置。
【請求項１１】
第１の方向に沿って延在する第１群の電極と、第１の方向と交差する第２の方向に沿って延在する第２群の電極と、を含むタッチ検出部と、画像を表示する表示部と、を備えるタッチ検出機能付き表示装置の制御方法であって、
第１のフレーム周波数で画像を表示し並びに被検出物の接触又は近接を検出するタッチ検出を行う第１の動作モードのタッチ検出期間では、タッチ検出駆動信号を前記第１群の電極に順次供給し、前記第１群の電極と前記第２群の電極との間の相互静電容量に基づいてタッチ検出を行い、
前記第１のフレーム周波数と異なる第２のフレーム周波数で画像を表示し及びタッチ検出を行う第２の動作モードのタッチ検出期間では、タッチ検出駆動信号を前記第１群の電極に一斉に供給して、前記第１群の電極の自己静電容量に基づいてタッチ検出を行い、タッチ検出駆動信号を前記第２群の電極に一斉に供給して、前記第２群の電極の自己静電容量に基づいてタッチ検出を行う
制御方法。
【請求項１２】
前記第１群の電極は、前記タッチ検出部と前記表示部とで兼用される
請求項１１に記載の制御方法。
【請求項１３】
前記タッチ検出部及び前記表示部は、各々が複数のラインを含む複数のユニットで構成され、
前記第１の動作モードでは、前記複数のユニットに対する複数の画像表示期間の間に、前記複数のユニットに対する複数のタッチ検出期間がそれぞれ配置され、
前記第２の動作モードでは、前記複数のユニットに対する複数の画像表示期間が続けて配置される
請求項１２に記載の制御方法。
【請求項１４】
前記第１の動作モードの画像表示期間の長さと前記第２の動作モードの画像表示期間の長さとは異なる
請求項１１から１３のいずれか１項に記載の制御方法。
【請求項１５】
前記第２のフレーム周波数は、前記第１のフレーム周波数より低い
請求項１１から１４のいずれか１項に記載の制御方法。
【請求項１６】
前記第２のフレーム周波数は、前記第１のフレーム周波数より高い
請求項１１から１４のいずれか１項に記載の制御方法。
【請求項１７】
前記第２の動作モードでは、前記表示部内の画素に供給される画素信号が時分割多重化された画像信号を分離するための制御信号を第１のレベルから第２のレベルに変化させる際に、前記制御信号を前記第１のレベルから、前記第１のレベルと前記第２のレベルとの間の第３のレベルに変化させ、その後、前記制御信号を前記第３のレベルから前記第２のレベルに変化させ、前記制御信号を前記第２のレベルから前記第１のレベルに変化させる際に、前記制御信号を前記第２のレベルから前記第３のレベルに変化させ、その後、前記制御信号を前記第３のレベルから前記第１のレベルに変化させる
請求項１１から１６のいずれか１項に記載の制御方法。
【請求項１８】
前記第１群の電極の自己静電容量に基づいてタッチ検出を行う場合には、前記第１群の電極に向けたタッチ検出信号を一斉に出力するタッチドライバと前記第１群の電極とを導通し、
前記第１群の電極と前記第２群の電極との間の相互静電容量に基づいてタッチ検出を行う場合には、前記第１群の電極の内の１つの電極と前記タッチドライバとを導通する
請求項１１から１７のいずれか１項に記載の制御方法。
【請求項１９】
前記第２の動作モードのタッチ検出期間では、タッチ検出駆動信号を前記第１群の電極及び第２群の電極に一斉に供給して、前記第１群の電極の自己静電容量及び前記第２群の電極の自己静電容量に基づいてタッチ検出を行う
請求項１１から１８のいずれか１項に記載の制御方法。
【請求項２０】
前記第２の動作モードのタッチ検出期間では、タッチ検出駆動信号を前記第１群の電極及び第２群の電極の内の一群に一斉に供給して、前記第１群の電極及び前記第２群の電極の内の一群の自己静電容量に基づいてタッチ検出を行い、その後、タッチ検出駆動信号を前記第１群の電極及び第２群の電極の内の他の一群に一斉に供給して、前記第１群の電極及び前記第２群の電極の内の他の一群の自己静電容量に基づいてタッチ検出を行う
請求項１１から１８のいずれか１項に記載の制御方法。
【発明の詳細な説明】
【技術分野】
【０００１】
本発明は、外部近接物体を検出可能なタッチ検出機能付き表示装置及び制御方法に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着され、又は表示装置と一体化されて、タッチ検出機能付き表示装置として用いられる。そして、タッチ検出機能付き表示装置は、表示装置に各種のボタン画像等を表示させることにより、タッチパネルを通常の機械式ボタンの代わりとして情報入力を可能としている。
【０００３】
下記の特許文献１には、表示用の共通電極をタッチ検出用電極として兼用し、共通電極とセンサ用検出電極との間に静電容量を形成し、この静電容量が利用者の指の接触によって変化することを利用してタッチ検出を行う、タッチセンサ付き表示装置が記載されている。
【先行技術文献】
【特許文献】
【０００４】
【特許文献１】特開２００９−２４４９５８号公報
【発明の概要】
【発明が解決しようとする課題】
【０００５】
表示用の共通電極をタッチ検出用電極として兼用するタッチ検出機能付き表示装置では、画像表示期間とタッチ検出期間とを分ける必要があるので、画像表示期間をタッチ検出期間の分だけ短くする必要がある。画像表示期間が短くなると、画質の低下又は消費電力の増大を招く。従って、画質の低下の抑制又は消費電力の抑制の観点から、画像表示期間を長くすることが好ましい。また、画像表示期間とタッチ検出期間とを分けると、画像表示期間とタッチ検出期間との境目で電流又は電圧が切り替わるので、電流又は電圧を供給する部材（例えば、コンデンサ）から音が発生する、いわゆる音鳴りを招く。従って、音鳴りの抑制の観点から、複数の画像表示期間を連続させることが好ましい。
【０００６】
本発明は、画像表示期間を長くすることができるタッチ検出機能付き表示装置及び制御方法を提供することを目的とする。
【課題を解決するための手段】
【０００７】
本発明の一態様のタッチ検出機能付き表示装置は、第１の方向に沿って延在する第１群の電極と、第１の方向と交差する第２の方向に沿って延在する第２群の電極と、を含むタッチ検出部と、画像を表示する表示部と、第１のフレーム周波数で画像を表示し並びに被検出物の接触又は近接を検出するタッチ検出を行う第１の動作モードと、第１のフレーム周波数と異なる第２のフレーム周波数で画像を表示し及びタッチ検出を行う第２の動作モードと、を有する制御部と、を備える。制御部は、第１の動作モードのタッチ検出期間では、タッチ検出駆動信号を第１群の電極に順次供給し、第１群の電極と第２群の電極との間の相互静電容量に基づいてタッチ検出を行い、第２の動作モードのタッチ検出期間では、タッチ検出駆動信号を第１群の電極に一斉に供給して、第１群の電極の自己静電容量に基づいてタッチ検出を行い、タッチ検出駆動信号を第２群の電極に一斉に供給して、第２群の電極の自己静電容量に基づいてタッチ検出を行う。
【０００８】
本発明の一態様の制御方法は、第１の方向に沿って延在する第１群の電極と、第１の方向と交差する第２の方向に沿って延在する第２群の電極と、を含むタッチ検出部と、画像を表示する表示部と、を備えるタッチ検出機能付き表示装置の制御方法であって、第１のフレーム周波数で画像を表示し並びに被検出物の接触又は近接を検出するタッチ検出を行う第１の動作モードのタッチ検出期間では、タッチ検出駆動信号を第１群の電極に順次供給し、第１群の電極と第２群の電極との間の相互静電容量に基づいてタッチ検出を行い、第１のフレーム周波数と異なる第２のフレーム周波数で画像を表示し及びタッチ検出を行う第２の動作モードのタッチ検出期間では、タッチ検出駆動信号を第１群の電極に一斉に供給して、第１群の電極の自己静電容量に基づいてタッチ検出を行い、タッチ検出駆動信号を第２群の電極に一斉に供給して、第２群の電極の自己静電容量に基づいてタッチ検出を行う。
【図面の簡単な説明】
【０００９】
【図１】図１は、本発明の実施形態に係るタッチ検出機能付き表示装置の構成を示すブロック図である。
【図２】図２は、タッチ検出機能付き表示装置のタッチ検出部及び表示部の構成例を示すブロック図である。
【図３】図３は、タッチ検出機能付き表示部を示す図である。
【図４】図４は、タッチ検出デバイスに生じる容量の例を示す説明図である。
【図５】図５は、タッチ検出デバイスの等価回路の例を示す説明図である。
【図６】図６は、駆動信号及びタッチ検出信号の波形の一例を表す図である。
【図７】図７は、タッチ検出デバイスに生じる容量の例を示す説明図である。
【図８】図８は、タッチ検出デバイスに生じる容量の例を示す説明図である。
【図９】図９は、検出回路を表す説明図である。
【図１０】図１０は、検出回路の等価回路を表す説明図である。
【図１１】図１１は、検出回路の波形の一例を表す図である。
【図１２】図１２は、タッチ検出機能付き表示装置を実装したモジュールの例を示す図である。
【図１３】図１３は、タッチ検出機能付き表示部の概略断面構造を表す断面図である。
【図１４】図１４は、タッチ検出機能付き表示部の画素配置を表す回路図である。
【図１５】図１５は、タッチ検出機能付き表示部の駆動電極及びタッチ検出電極の構成例を表す斜視図である。
【図１６】図１６は、タッチ検出制御部の構成を示す図である。
【図１７】図１７は、タッチ検出機能付き表示装置の第１の動作モードでの動作シーケンスを示す図である。
【図１８】図１８は、タッチ検出機能付き表示装置の第１の動作モードでの動作タイミングを示す図である。
【図１９】図１９は、タッチ検出機能付き表示装置の第１の動作モードでの動作を示すフローチャートである。
【図２０】図２０は、タッチ検出機能付き表示装置の第２の動作モードでの動作シーケンスを示す図である。
【図２１】図２１は、タッチ検出機能付き表示装置の第２の動作モードでの動作シーケンスを示す図である。
【図２２】図２２は、タッチ検出機能付き表示装置の第２の動作モードでの動作タイミングを示す図である。
【図２３】図２３は、タッチ検出機能付き表示装置の第２の動作モードでの動作を示すフローチャートである。
【図２４】図２４は、ソースドライバ、ソースセレクタ及び液晶表示デバイスの構成を示す図である。
【図２５】図２５は、画素信号の副画素への書き込みタイミングを示す図である。
【図２６】図２６は、タッチ検出機能付き表示装置の第２の動作モードでの動作タイミングを示す図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態）
図１は、本発明の実施形態に係るタッチ検出機能付き表示装置の構成を示すブロック図である。
【００１２】
本実施形態に係るタッチ検出機能付き表示装置１は、タッチ検出部ＳＥと、表示部ＤＳＰと、制御部ＣＴＲＬと、を含む。
【００１３】
タッチ検出部ＳＥは、被検出物ＯＢＪの、カバー部材ＣＧの入力面ＩＳへの接触又は近接を検出する。具体的には、タッチ検出部ＳＥは、被検出物ＯＢＪが入力面ＩＳと垂直な方向で重なる複数の領域の各々の接触又は近接に応じた信号値を、制御部ＣＴＲＬに出力する。なお、カバー部材ＣＧを配置せずに、タッチ検出部ＳＥが入力面ＩＳを有してもよい。
【００１４】
被検出物ＯＢＪは、入力面ＩＳと接触して変形する第１の種類の物であっても良いし、入力面ＩＳと接触して変形しない又は第１の種類の物と比較して相対的に変形が少ない第２の種類の物であっても良い。第１の種類の物は、指が例示されるが、これに限定されない。第２の種類の物は、樹脂又は金属のスタイラスペンが例示されるが、これに限定されない。
【００１５】
タッチ検出部ＳＥが検出できる被検出物の数は、１個に限定されない。タッチ検出部ＳＥは、２個以上の被検出物を検出できることとしても良い。
【００１６】
タッチ検出部ＳＥは、静電容量方式センサが例示される。静電容量方式は、相互（ミューチャル）静電容量方式又は自己（セルフ）静電容量方式が例示される。
【００１７】
表示部ＤＳＰは、入力面ＩＳ側に向けて画像を表示する。表示部ＤＳＰは、液晶表示装置又は有機ＥＬ（Electro-Luminescence）表示装置が例示されるが、これらに限定されない。
【００１８】
タッチ検出部ＳＥ及び表示部ＤＳＰは、一体化された、いわゆるインセルタイプであっても良い。また、タッチ検出部ＳＥ及び表示部ＤＳＰは、表示部ＤＳＰの上にタッチ検出部ＳＥが装着された、いわゆるオンセルタイプであっても良い。
【００１９】
制御部ＣＴＲＬは、表示部ＤＳＰを制御して表示部ＤＳＰに画像を表示させ、タッチ検出部ＳＥを制御してタッチ検出部ＳＥにタッチ検出を行わせる。
【００２０】
制御部ＣＴＲＬは、表示制御部１１と、タッチ検出制御部４０と、ホストＨＯＳＴと、を含む。
【００２１】
表示制御部１１は、表示部ＤＳＰのガラス基板上に実装されたＩＣチップが例示される。タッチ検出制御部４０は、表示部ＤＳＰのガラス基板に接続されたプリント基板（例えば、フレキシブルプリント基板）上に実装されたＩＣチップが例示される。ホストＨＯＳＴは、ＣＰＵ（Central  Processing  Unit）が例示される。表示制御部１１、タッチ検出制御部４０及びホストＨＯＳＴは、協働してタッチ検出部ＳＥ及び表示部ＤＳＰを制御する。
【００２２】
タッチ検出機能付き表示装置１は、第１のフレーム周波数で画像表示及びタッチ検出を行う第１の動作モードと、第１のフレーム周波数とは異なる第２のフレーム周波数で画像表示及びタッチ検出を行う第２の動作モードと、を有する。
【００２３】
第２のフレーム周波数は、第１のフレーム周波数よりも低い場合が例示される。第２のフレーム周波数が第１のフレーム周波数よりも低い場合には、第２のフレーム周波数は、第１のフレーム周波数の０．５倍が例示されるが、これに限定されない。第２のフレーム周波数は、第１のフレーム周波数の０．７５倍や０．２５倍等であっても良い。
【００２４】
また、第２のフレーム周波数は、第１のフレーム周波数よりも高い場合が例示される。第２のフレーム周波数が第１のフレーム周波数よりも高い場合には、第２のフレーム周波数は、第１のフレーム周波数の２倍が例示されるが、これに限定されない。第２のフレーム周波数は、第１のフレーム周波数の１．５倍や２．５倍等であっても良い。
【００２５】
ホストＨＯＳＴは、第１の動作モードで動作するか第２の動作モードで動作するかを表すモード信号Ｍｏｄｅを表示制御部１１及びタッチ検出制御部４０に出力する。モード信号Ｍｏｄｅは、第１のレベル（例えば、ローレベル）の場合には、第１の動作モードで動作することを表し、第２のレベル（例えば、ハイレベル）の場合には、第２の動作モードで動作することを表す。
【００２６】
また、ホストＨＯＳＴは、垂直同期信号Ｖｓｙｎｃ、水平同期信号Ｈｓｙｎｃ及び映像信号Ｖｄｉｓｐを、表示制御部１１に出力する。表示制御部１１は、ホストＨＯＳＴから供給されるモード信号Ｍｏｄｅ、垂直同期信号Ｖｓｙｎｃ、水平同期信号Ｈｓｙｎｃ及び映像信号Ｖｄｉｓｐに基づいて、画像表示を行う。また、表示制御部１１は、ホストＨＯＳＴから供給される水平同期信号Ｈｓｙｎｃを計数した計数値信号Ｃｏｕｎｔをタッチ検出制御部４０に出力する。
【００２７】
タッチ検出制御部４０は、ホストＨＯＳＴから供給されるモード信号Ｍｏｄｅ及び表示制御部１１から供給される計数値信号Ｃｏｕｎｔに基づいてタッチ検出を行い、タッチ座標を含むタッチデータ信号ＴＰ−ＤａｔａをホストＨＯＳＴに出力する。
【００２８】
なお、ホストＨＯＳＴ、表示制御部１１及びタッチ検出制御部４０間の通信は、Ｉ２Ｃ（Inter-Integrated  Circuit）又はＳＰＩ（Serial  Peripheral  Interface）が例示される。
【００２９】
以下に、タッチ検出部ＳＥ及び表示部ＤＳＰの具体的な構成例について説明するが、これらの構成例は例示であり、これらの構成例に限定されない。
【００３０】
図２は、タッチ検出機能付き表示装置のタッチ検出部及び表示部の構成例を示すブロック図である。図２に示すタッチ検出機能付き表示装置１は、いわゆる静電容量方式により、被検出物ＯＢＪの座標の検出を行う装置である。
【００３１】
タッチ検出機能付き表示装置１は、タッチ検出機能付き表示部１０と、表示制御部１１と、ゲートドライバ１２と、ソースドライバ１３と、ソースセレクタ１３Ｓと、駆動電極ドライバ１４と、タッチ検出制御部４０と、を含む。
【００３２】
タッチ検出機能付き表示部１０は、表示素子として液晶表示素子を用いている液晶表示デバイス２０に静電容量型のタッチ検出デバイス３０を内蔵して一体化した、いわゆるインセルタイプの装置である。なお、液晶表示デバイス２０に静電容量型のタッチ検出デバイス３０を内蔵して一体化するとは、例えば、液晶表示デバイス２０として使用される基板や電極などの一部の部材と、タッチ検出デバイス３０として使用される基板や電極などの一部の部材と、を兼用することを含む。
【００３３】
液晶表示デバイス２０が、図１の表示部ＤＳＰに対応する。タッチ検出デバイス３０が、図１のタッチ検出部ＳＥに対応する。
【００３４】
なお、タッチ検出機能付き表示部１０は、表示素子として液晶表示素子を用いた液晶表示デバイス２０の上方に、静電容量型のタッチ検出デバイス３０が装着された、いわゆるオンセルタイプの装置であってもよい。オンセルタイプの装置の場合、液晶表示デバイス２０の直上にタッチ検出デバイス３０が設けられていてもよいし、液晶表示デバイス２０の直上ではなく他の層を介して上方にタッチ検出デバイス３０が設けられていてもよい。
【００３５】
また、本構成例では、表示部ＤＳＰとして液晶表示デバイス２０が採用されているが、表示部ＤＳＰは、有機ＥＬ素子を採用した構成であってもよい。この場合、有機ＥＬ素子を形成するアノード及びカソードのうち一方を、後述するタッチ検出に係る駆動電極ＣＯＭＬとしても良い。
【００３６】
液晶表示デバイス２０は、後述するように、ゲートドライバ１２から供給される走査信号Ｖｓｃａｎに従って、１水平ラインずつ順次走査して表示を行うデバイスである。
【００３７】
図３は、タッチ検出機能付き表示部を示す図である。本実施形態では、タッチ検出機能付き表示部１０は、３００本の水平ラインを有するものとする。３００本の水平ラインは、第１のユニットから第１０のユニットまでの１０個のユニットに分けられている。第１のユニットから第１０のユニットまでの各々は、３０本の水平ラインを有する。
【００３８】
再び図２を参照すると、表示制御部１１は、ホストＨＯＳＴから供給されるモード信号Ｍｏｄｅ、垂直同期信号Ｖｓｙｎｃ、水平同期信号Ｈｓｙｎｃ及び映像信号Ｖｄｉｓｐに基づいて、ゲートドライバ１２、ソースドライバ１３、駆動電極ドライバ１４及びタッチ検出制御部４０に対してそれぞれ制御信号を供給し、これらが協働して動作するように制御する。
【００３９】
本開示における制御部ＣＴＲＬは、表示制御部１１、ゲートドライバ１２、ソースドライバ１３、駆動電極ドライバ１４を含む。
【００４０】
表示制御部１１は、メモリ１１Ａを含む。メモリ１１Ａは、ホストＨＯＳＴから、水平同期信号Ｈｓｙｎｃに同期して１水平ライン毎に供給される映像信号Ｖｄｉｓｐを、記憶する。メモリ１１Ａは、ＲＡＭ（Random  Access  Memory）が例示される。メモリ１１Ａは、複数の水平ラインの映像信号Ｖｄｉｓｐを記憶する記憶容量を有していても良い。
【００４１】
表示制御部１１は、内部水平同期信号生成部１１Ｂを含む。内部水平同期信号生成部１１Ｂは、ホストＨＯＳＴから供給されるモード信号Ｍｏｄｅ、垂直同期信号Ｖｓｙｎｃ及び水平同期信号Ｈｓｙｎｃ及びに基づいて、内部水平同期信号Ｉｎｔ−Ｈｓｙｎｃを生成する。内部水平同期信号生成部１１Ｂは、例えば、発振器を含み、発振器を使用して内部水平同期信号Ｉｎｔ−Ｈｓｙｎｃを生成する。
【００４２】
表示制御部１１は、遅延回路１１Ｃを含む。遅延回路１１Ｃは、ホストＨＯＳＴから供給される垂直同期信号Ｖｓｙｎｃを遅延させた内部垂直同期信号Ｉｎｔ−Ｖｓｙｎｃを出力する。
【００４３】
表示制御部１１は、リセット信号出力部１１Ｄを含む。リセット信号出力部１１Ｄは、内部垂直同期信号Ｉｎｔ−Ｖｓｙｎｃに同期してリセット信号Ｒｅｓｅｔを出力する。
【００４４】
表示制御部１１は、カウンタ１１Ｅを含む。カウンタ１１Ｅは、水平同期信号Ｈｓｙｎｃを計数し、計数値を表す計数値信号Ｃｏｕｎｔを出力する。カウンタ１１Ｅは、内部垂直同期信号Ｉｎｔ−Ｖｓｙｎｃをトリガとして、水平同期信号Ｈｓｙｎｃの計数を開始する。カウンタ１１Ｅは、リセット信号Ｒｅｓｅｔによって、計数値がリセットされる。
【００４５】
表示制御部１１は、表示パネル制御部１１Ｆを含む。表示パネル制御部１１Ｆは、ゲートドライバ１２、ソースドライバ１３及び駆動電極ドライバ１４を制御する。表示パネル制御部１１Ｆは、ホストＨＯＳＴから供給されるモード信号Ｍｏｄｅに応じて、カウンタ１１Ｅから供給される計数値信号Ｃｏｕｎｔが所定の値になったら、内部水平同期信号Ｉｎｔ−Ｈｓｙｎｃに同期して、メモリ１１Ａ内の１水平ライン分の映像信号Ｖｄｉｓｐから、液晶表示デバイス２０の複数の副画素ＳＰｉｘの画素信号Ｖｐｉｘを時分割多重化した画素信号Ｖｓｉｇを生成し、ソースドライバ１３に出力する。
【００４６】
ゲートドライバ１２は、表示パネル制御部１１Ｆから供給される制御信号に基づいて、タッチ検出機能付き表示部１０の表示駆動の対象となる１水平ラインを順次選択する。
【００４７】
ソースドライバ１３は、表示パネル制御部１１Ｆから供給される制御信号に基づいて、タッチ検出機能付き表示部１０の、各画素Ｐｉｘ（副画素ＳＰｉｘ）に画素信号Ｖｐｉｘを供給する。ソースドライバ１３には、例えば６ビットのＲ（赤）、Ｇ（緑）及びＢ（青）の画像信号Ｖｓｉｇが与えられる。
【００４８】
ソースドライバ１３は、表示パネル制御部１１Ｆから画像信号Ｖｓｉｇを受け取り、ソースセレクタ１３Ｓに出力する。また、ソースドライバ１３は、画像信号Ｖｓｉｇに多重化された画素信号Ｖｐｉｘを分離するために必要な、後述するスイッチ制御信号ＶｓｅｌＡ及びＶｓｅｌＢを生成し、画素信号Ｖｐｉｘと共にソースセレクタ１３Ｓに出力する。ソースセレクタ１３Ｓは、ソースドライバ１３と表示パネル制御部１１Ｆとの間の配線数を少なくすることができる。ソースセレクタ１３Ｓはなくても良い。また、ソースドライバ１３の一部の制御は、表示パネル制御部１１Ｆが行ってもよく、ソースセレクタ１３Ｓのみが配置されていてもよい。
【００４９】
駆動電極ドライバ１４は、表示パネル制御部１１Ｆから供給される制御信号に基づいて、タッチ検出機能付き表示部１０の、後述する駆動電極ＣＯＭＬに表示用の電圧である表示駆動信号Ｖｃｏｍｄを供給する。
【００５０】
タッチ検出制御部４０は、ホストＨＯＳＴから供給されるモード信号Ｍｏｄｅに応じて、カウンタ１１Ｅから供給される計数値信号Ｃｏｕｎｔが所定の値になったら、相互静電容量方式又は自己静電容量方式のタッチ検出の基本原理に基づいて、タッチ駆動信号Ｖｃｏｍｔｍ，Ｖｃｏｍｔｓ１又はＶｃｏｍｔｓ２をタッチ検出デバイス３０に出力する。タッチ検出デバイス３０は、相互静電容量方式又は自己静電容量方式のタッチ検出の基本原理に基づいて動作し、タッチ検出信号Ｖｄｅｔｍ，Ｖｄｅｔｓ１又はＶｄｅｔｓ２をタッチ検出制御部４０に出力する。タッチ検出制御部４０は、タッチ検出デバイス３０から供給されるタッチ検出信号Ｖｄｅｔｍ，Ｖｄｅｔｓ１又はＶｄｅｔｓ２に基づいてタッチ検出を行い、タッチ座標を含むタッチデータ信号ＴＰ−ＤＡＴＡをホストＨＯＳＴに出力する。タッチ検出制御部４０は、セルフスイッチ４０Ａと、セレクタ４０Ｂと、タッチドライバ４０Ｃと、コントローラ４０Ｄと、を含む。先に、相互静電容量方式及び自己静電容量方式のタッチ検出の基本原理について説明し、後で、セルフスイッチ４０Ａ、セレクタ４０Ｂ、タッチドライバ４０Ｃ及びコントローラ４０Ｄについて説明する。
【００５１】
図４から図６までを参照して、本実施形態のタッチ検出機能付き表示装置１の相互静電容量方式のタッチ検出の基本原理について説明する。
【００５２】
図４は、タッチ検出デバイスに生じる容量の例を示す説明図である。図５は、タッチ検出デバイスの等価回路の例を示す説明図である。図６は、駆動信号及びタッチ検出信号の波形の一例を表す図である。なお、図５は、検出回路を併せて示している。
【００５３】
例えば、図４に示すように、容量素子Ｃ１は、誘電体Ｄを挟んで互いに対向配置された一対の電極、駆動電極Ｅ１及びタッチ検出電極Ｅ２を備えている。図５に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えばタッチ検出制御部４０に含まれる積分回路である。
【００５４】
交流信号源Ｓから駆動電極Ｅ１（容量素子Ｃ１の一端）に所定の周波数（例えば数ｋＨｚ〜数百ｋＨｚ程度）の交流矩形波Ｓｇが印加されると、タッチ検出電極Ｅ２（容量素子Ｃ１の他端）側に接続された電圧検出器ＤＥＴを介して、図６に示すような出力波形（タッチ検出信号Ｖｄｅｔ）が現れる。なお、この交流矩形波Ｓｇは、タッチ検出制御部４０から入力される、後述するタッチ駆動信号Ｖｃｏｍｔｍに相当するものである。
【００５５】
指が接触または近接していない状態（非接触状態）では、図４及び図５に示すように、容量素子Ｃ１に対する充放電に伴って、容量素子Ｃ１の容量値に応じた電流Ｉ０が流れる。図５に示す電圧検出器ＤＥＴは、交流矩形波Ｓｇに応じた電流Ｉ０の変動を電圧の変動（実線の波形Ｖ０（図６参照））に変換する。
【００５６】
一方、指が接触又は近接した状態（接触状態）では、指によって形成される静電容量が、タッチ検出電極Ｅ２と接触している又は近傍にあることにより、駆動電極Ｅ１及びタッチ検出電極Ｅ２の間にあるフリンジ分の静電容量が遮られる。このため、容量素子Ｃ１は、非接触状態での容量値よりも小さい容量値の容量素子として作用する。そして、容量素子Ｃ１の変化に応じて変動する電流が流れる。
【００５７】
図６に示すように、電圧検出器ＤＥＴは、交流矩形波Ｓｇに応じた電流の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から接触または近接する導体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓを設けた動作とすることがより好ましい。
【００５８】
図２に示すタッチ検出デバイス３０は、タッチ検出制御部４０から供給されるタッチ駆動信号Ｖｃｏｍｔｍに従って、１水平ラインずつ順次走査して、相互静電容量方式のタッチ検出を行う。
【００５９】
図７から図１１までを参照して、本実施形態のタッチ検出機能付き表示装置１の自己静電容量方式のタッチ検出の基本原理について説明する。
【００６０】
図７及び図８は、タッチ検出デバイスに生じる容量の例を示す説明図である。図９は、検出回路を表す説明図である。図１０は、図９の検出回路の等価回路を表す説明図である。図１１は、図１０の検出回路の波形の一例を表す図である。
【００６１】
まず、図７に示すように、電極ＴＬは、スイッチ２０１により、電源電圧Ｖｃｃと接続される。電極ＴＬは、静電容量Ｃ３を有しており、電源電位Ｖｃｃから電極ＴＬへ矢印２０３の方向に電荷が流れ、電極ＴＬは、静電容量Ｃ３に応じた電荷がチャージされる。
【００６２】
次に、図８に示すように、電極ＴＬは、スイッチ２０１により、検出回路２０２と接続され、電極ＴＬにチャージされた電荷は、検出回路２０２へ矢印２０４の方向に流れる。検出回路２０２は、電極ＴＬから流入する電荷を計測することで、電極ＴＬの静電容量Ｃ３を検出することができる。
【００６３】
次に、指が電極ＴＬに接触又は近接した場合について説明する。図７に示すように、指が電極ＴＬに接触又は近接した場合、指の静電容量Ｃ２が電極ＴＬの静電容量Ｃ３に加わる。従って、電極ＴＬがスイッチ２０１により電源電圧Ｖｃｃと接続されると、電源電位Ｖｃｃから電極ＴＬへ矢印２０３の方向に電荷が流れ、電極ＴＬ及び指は、静電容量Ｃ３及びＣ２に応じた電荷がチャージされる。
【００６４】
次に、図８に示すように、電極ＴＬは、スイッチ２０１により、検出回路２０２と接続され、電極ＴＬ及び指にチャージされた電荷は、検出回路２０２へ矢印２０４の方向に流れる。検出回路２０２は、電極ＴＬ及び指から流入する電荷を計測することで、電極ＴＬと指との静電容量を検出することができる。
【００６５】
図９は、検出回路を表す説明図である。以下、図９を参照して、電極ＴＬの静電容量Ｃｘの計測手順について説明する。
【００６６】
ステップ１：まず、スイッチ２０７をオン、スイッチ２０６及び２０８をオフにして、抵抗ＲｃとキャパシタＣｃとの直列回路を電源電圧Ｖｃｃと接地電位との間に接続し、キャパシタＣｃに電荷をチャージする。
【００６７】
ステップ２：次に、スイッチ２０６〜２０８をすべてオフに切り替える。キャパシタＣｃの電荷は維持される。
【００６８】
ステップ３：次に、スイッチ２０６及び２０８を一定の時間オンにして、キャパシタＣｘとキャパシタＣｒとの接続点及びキャパシタＣｒと抵抗Ｒｃとの接続点を接地する。キャパシタＣｘ及びＣｒの電荷がすべて放電されながら、キャパシタＣｃの電荷の一部が抵抗Ｒｃを介して放電される。
【００６９】
ステップ４：次に、スイッチ２０６〜２０８をすべてオフに切り替える。キャパシタＣｃの電荷は、キャパシタＣｘ及びＣｒに移動する。
【００７０】
ステップ５：コンパレータ２０５で、キャパシタＣｘの端子間電圧Ｖｘを基準電圧Ｖｒｅｆと比較する。図１０に示すように、このときのキャパシタＣｃの端子間電圧Ｖｃは、キャパシタＣｒの端子間電圧ＶｒとキャパシタＣｘの端子間電圧Ｖｘとの和である。
【００７１】
電圧Ｖｃ、Ｖｒ、Ｖｘ及び容量Ｃｃ、Ｃｒ、Ｃｘの関係は、下式のように表すことができる。
Ｖｃ＝Ｖｒ＋Ｖｘ  ・・・（１）
Ｖｒ：Ｖｘ＝１／Ｃｒ：１／Ｃｘ  ・・・（２）
Ｖｘ＝Ｃｒ／（Ｃｒ＋Ｃｘ）×Ｖｃ  ・・・（３）
【００７２】
上記ステップ３〜５は、Ｖｘ＜Ｖｒｅｆとなるまで繰り返し実施する。上記式（３）が示すように、指が電極ＴＬに接触又は近接して容量Ｃｘが大きくなると、条件Ｖｘ＜Ｖｒｅｆを満たすまでの放電サイクル数（繰り返し回数）が少なくなる。指のタッチ・非タッチは、放電サイクル数で判定することができる。
【００７３】
図１１において、期間ｔ２０は、指が電極ＴＬに接触又は近接していない期間であり、期間ｔ２１は、指が電極ＴＬに接触又は近接している期間である。また、図１１において、棒グラフは、電圧Ｖｘを表し、線グラフは、電圧Ｖｃを表す。
【００７４】
上記ステップ３〜５が繰り返されるにつれて、電圧Ｖｃは徐々に低下する。電圧Ｖｘは、上記式（３）で表される。
【００７５】
指が電極ＴＬに接触又は近接して容量Ｃｘが増加すると、Ｖｘ＜Ｖｒｅｆとなるまでの放電サイクル数（繰り返し回数）が少なくなる。
【００７６】
指が電極ＴＬに接触又は近接していない場合、計測開始時ｔ３１からＶｘ＜Ｖｒｅｆとなるｔ３２までの期間ｔ４１の放電サイクル数（繰り返し回数）は、８回である。一方、指が電極ＴＬに接触又は近接している場合、計測開始時ｔ３３からＶｘ＜Ｖｒｅｆとなるｔ３４までの期間ｔ４２の放電サイクル数（繰り返し回数）は、６回である。
【００７７】
このように、検出回路２０２は、Ｖｘ＜Ｖｒｅｆとなるまでの放電サイクル数（繰り返し回数）を計測することによって、指が電極ＴＬに接触又は近接しているか否かを判定することができる。
【００７８】
図１２は、タッチ検出機能付き表示装置を実装したモジュールの例を示す図である。タッチ検出機能付き表示装置１は、第１基板（例えば、画素基板２）と、プリント基板（例えば、フレキシブルプリント基板）Ｔとを備えている。
【００７９】
画素基板２は、第１絶縁基板（例えば、ＴＦＴ基板２１）を有する。なお、ＴＦＴ基板２１は、例えば、ガラス基板、または、フィルム基板である。また、ＴＦＴ基板２１には、駆動ＩＣチップ(例えば、ＣＯＧ（Chip  On  Glass）１９)が実装されている。また、画素基板２（ＴＦＴ基板２１）には、液晶表示デバイス２０の表示領域Ａｄと、額縁Ｇｄとが形成されている。
【００８０】
ＣＯＧ１９は、ＴＦＴ基板２１に実装されたドライバであるＩＣチップであり、図２に示した表示制御部１１等、表示動作に必要な各回路を内蔵した制御装置である。駆動電極ドライバ１４は、ＴＦＴ基板２１上に形成されている。
【００８１】
タッチ検出機能付き表示装置１は、ＣＯＧ１９にゲートドライバ１２、駆動電極ドライバ１４などの回路を内蔵してもよい。なお、ＣＯＧ１９はあくまで実装の一形態であってこれに限られるものでない。例えば、ＣＯＧ１９と同様の機能を有する構成をＣＯＦ（Chip  On  Film又はChip  On  Flexible）としてフレキシブルプリント基板Ｔ上に実装しても良い。
【００８２】
タッチ検出機能付き表示装置１は、表示領域Ａｄに重畳する領域に複数の駆動電極ＣＯＭＬと、複数のタッチ検出電極ＴＤＬとが設けられている。複数の駆動電極ＣＯＭＬと複数のタッチ検出電極ＴＤＬとは、ＴＦＴ基板２１の表面に対する垂直方向において、立体交差するように形成されている。複数の駆動電極ＣＯＭＬは、例えば、表示領域Ａｄの短辺に沿うＸ方向に延在しており、複数のタッチ検出電極ＴＤＬは、例えば、表示領域Ａｄの長辺に沿うＹ方向に延在している。
【００８３】
相互静電容量方式のタッチ検出動作を行う際は、複数の駆動電極ＣＯＭＬには、タッチ検出制御部４０によってタッチ駆動信号Ｖｃｏｍｔｍが１水平ラインずつ順次供給される。そして、複数のタッチ検出電極ＴＤＬは、タッチ駆動信号Ｖｃｏｍｔｍが供給される都度、タッチ検出信号Ｖｄｅｔｍをタッチ検出制御部４０に出力する。
【００８４】
自己静電容量方式のタッチ検出動作を行う際は、複数の駆動電極ＣＯＭＬには、タッチ検出制御部４０によってタッチ駆動信号Ｖｃｏｍｓ１が一斉に供給される。そして、複数の駆動電極ＣＯＭＬは、タッチ検出信号Ｖｄｅｔｓ１をタッチ検出制御部４０に一斉に出力する。
【００８５】
また、自己静電容量方式のタッチ検出動作を行う際は、複数のタッチ検出電極ＴＤＬには、タッチ検出制御部４０によってタッチ駆動信号Ｖｃｏｍｓ２が一斉に供給される。そして、複数のタッチ検出電極ＴＤＬは、タッチ検出信号Ｖｄｅｔｓ２をタッチ検出制御部４０に一斉に出力する。
【００８６】
複数のタッチ検出電極ＴＤＬ及び複数の駆動電極ＣＯＭＬは、タッチ検出機能付き表示装置１の短辺側に接続されたフレキシブルプリント基板Ｔ上に実装されたタッチＩＣ４９に、接続されている。タッチＩＣ４９は、フレキシブルプリント基板Ｔに実装されたドライバであるＩＣチップであり、図１に示したタッチ検出制御部４０等、タッチ動作に必要な各回路を内蔵した制御装置である。このように、タッチＩＣ４９は、フレキシブルプリント基板Ｔ上に実装され、複数のタッチ検出電極ＴＤＬ及び複数の駆動電極ＣＯＭＬに接続されている。フレキシブルプリント基板Ｔは、端子であれば良く、基板に限られない。この場合、タッチＩＣ４９は、モジュールの外部に備えられる。なお、タッチＩＣ４９は、フレキシブルプリント基板Ｔ上に配置される場合に限らず、ＴＦＴ基板２１又は後述する第２絶縁基板３１上に配置されていてもよい。
【００８７】
本構成例では、タッチＩＣ４９は、タッチ検出制御部４０を内蔵する制御装置であるが、タッチ検出制御部４０の一部の機能は、他のＭＰＵの機能として設けられてもよい。
【００８８】
具体的には、タッチ検出制御を行うＩＣチップの機能として設けられ得るＡ／Ｄ変換、ノイズ除去等の各種機能のうち一部の機能（例えば、ノイズ除去等）は、タッチＩＣ４９と別個に設けられたＭＰＵ等の回路で実施されてもよい。また、ドライバであるＩＣチップを１つ（１チップ構成）にする場合等、例えば、フレキシブルプリント基板Ｔ等の配線を介して検出信号をＴＦＴ基板２１上のＩＣチップに伝送するようにしてもよい。
【００８９】
ソースセレクタ１３Ｓは、ＴＦＴ基板２１上の表示領域Ａｄの近傍に、ＴＦＴ素子を用いて形成されている。表示領域Ａｄには、後述する画素Ｐｉｘがマトリックス状（行列状）に多数配置されている。額縁Ｇｄは、ＴＦＴ基板２１の表面を垂直な方向からみて画素Ｐｉｘが配置されていない領域である。
【００９０】
本構成例では、ソースセレクタ１３Ｓは、ＴＦＴ基板２１上に形成されている。ソースセレクタ１３Ｓは、ＣＯＧ１９に内蔵されていてもよい。
【００９１】
図１３は、タッチ検出機能付き表示部の概略断面構造を表す断面図である。図１４は、タッチ検出機能付き表示部の画素配置を表す回路図である。タッチ検出機能付き表示部１０は、画素基板２と、この画素基板２の表面に垂直な方向に対向して配置された第２基板（例えば、対向基板３）と、画素基板２と対向基板３との間に挿設された表示機能層（例えば、液晶層６）と、を含む。
【００９２】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。
【００９３】
ＴＦＴ基板２１には、図１４に示す各副画素ＳＰｉｘの薄膜トランジスタ（ＴＦＴ：Thin  Film  Transistor）素子Ｔｒ、図１３に示す各画素電極２２に画素信号Ｖｐｉｘを供給する画素信号線ＳＧＬ、各ＴＦＴ素子Ｔｒを駆動する走査信号線ＧＣＬ等の配線が形成されている。画素信号線ＳＧＬは、ＴＦＴ基板２１の表面と平行な平面に延在し、画像を表示するための画素信号Ｖｐｉｘを副画素ＳＰｉｘに供給する。なお、副画素ＳＰｉｘとは、画素信号Ｖｐｉｘで制御される構成単位を示す。また、副画素ＳＰｉｘは、画素信号線ＳＧＬと走査信号線ＧＣＬで囲われた領域であって、ＴＦＴ素子Ｔｒによって制御される構成単位を示す。
【００９４】
図１４に示すように、液晶表示デバイス２０は、行列状に配置した複数の副画素ＳＰｉｘを有している。副画素ＳＰｉｘは、ＴＦＴ素子Ｔｒ及び液晶素子ＬＣを含む。ＴＦＴ素子Ｔｒは、薄膜トランジスタにより構成されるものであり、この例では、ｎチャネルのＭＯＳ（Metal  Oxide  Semiconductor）型のＴＦＴで構成されている。
【００９５】
ＴＦＴ素子Ｔｒのソース又はドレインの一方は画素信号線ＳＧＬに結合され、ゲートは走査信号線ＧＣＬに結合され、ソース又はドレインの他方は液晶素子ＬＣの一端に結合されている。液晶素子ＬＣは、例えば、一端がＴＦＴ素子Ｔｒのドレインに結合され、他端が駆動電極ＣＯＭＬに結合されている。なお、図１３において、ＴＦＴ基板２１に対して、画素電極２２、絶縁層２４、駆動電極ＣＯＭＬの順で積層されているが、これに限定されない。ＴＦＴ基板２１に対して、駆動電極ＣＯＭＬ、絶縁層２４、画素電極２２の順で積層してもよいし、駆動電極ＣＯＭＬと画素電極２２を絶縁層２４を介して同一層に形成してもよい。
【００９６】
副画素ＳＰｉｘは、走査信号線ＧＣＬによって、液晶表示デバイス２０の同じ行に属する他の副画素ＳＰｉｘと互いに結合されている。走査信号線ＧＣＬは、ゲートドライバ１２と結合され、ゲートドライバ１２より走査信号Ｖｓｃａｎが供給される。
【００９７】
また、副画素ＳＰｉｘは、画素信号線ＳＧＬによって、液晶表示デバイス２０の同じ列に属する他の副画素ＳＰｉｘと互いに結合されている。画素信号線ＳＧＬは、ソースドライバ１３と結合され、ソースドライバ１３（ソースセレクタ１３Ｓ）から画素信号Ｖｐｉｘが供給される。
【００９８】
さらに、副画素ＳＰｉｘは、駆動電極ＣＯＭＬにより、液晶表示デバイス２０の同じ行に属する他の副画素ＳＰｉｘと互いに結合されている。駆動電極ＣＯＭＬは、駆動電極ドライバ１４と結合され、駆動電極ドライバ１４より表示駆動信号Ｖｃｏｍｄが供給される。つまり、この例では、同じ一行に属する複数の副画素ＳＰｉｘが一本の駆動電極ＣＯＭＬを共有するようになっている。
【００９９】
本構成例の駆動電極ＣＯＭＬが延在する方向は、走査信号線ＧＣＬが延在する方向と平行である。駆動電極ＣＯＭＬが延在する方向は、これに限定されない。例えば、駆動電極ＣＯＭＬが延在する方向は、画素信号線ＳＧＬが延在する方向と平行な方向であってもよい。また、タッチ検出電極ＴＤＬが延在する方向は、画素信号線ＳＧＬが延在する方向に限定されない。タッチ検出電極ＴＤＬが延在する方向は、走査信号線ＧＣＬが延在する方向と平行な方向であってもよい。
【０１００】
図２に示すゲートドライバ１２は、走査信号Ｖｓｃａｎを、図１４に示す走査信号線ＧＣＬを介して、画素ＰｉｘのＴＦＴ素子Ｔｒのゲートに印加することにより、液晶表示デバイス２０に行列状に形成されている副画素ＳＰｉｘのうちの１行（１水平ライン）を表示駆動の対象として順次選択する。
【０１０１】
図２に示すソースドライバ１３は、画素信号Ｖｐｉｘを、図１４に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。
【０１０２】
図２に示す駆動電極ドライバ１４は、表示駆動信号Ｖｃｏｍｄを印加し、所定の本数の駆動電極ＣＯＭＬからなるブロックごとに駆動電極ＣＯＭＬを駆動する。
【０１０３】
上述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して表示駆動信号Ｖｃｏｍｄを印加するようになっている。
【０１０４】
液晶層６は、電界の状態に応じてそこを通過する光を変調するものである。駆動電極ＣＯＭＬの駆動時、画素電極２２に供給された画素信号Ｖｐｉｘに応じた電圧が液晶層６に印加され、電界が生じることで、液晶層６を構成する液晶が電界に応じた配向を示して液晶層６を通過する光を変調する。
【０１０５】
このように、画素電極２２及び駆動電極ＣＯＭＬは、液晶層６に電界を生じさせる第１電極及び第２電極として機能する。すなわち、液晶表示デバイス２０は、第１電極及び第２電極に与えられる電荷に応じて表示出力内容が変化する表示部として機能する。なお、画素電極２２を第１電極とし、駆動電極ＣＯＭＬを第２電極としているが、逆でもよい。画素電極２２は、少なくとも画素Ｐｉｘ又は副画素ＳＰｉｘ毎に配置され、駆動電極ＣＯＭＬは、少なくとも複数の画素Ｐｉｘ又は副画素ＳＰｉｘ毎に配置される。
【０１０６】
本構成例では、液晶表示デバイス２０として、例えば、ＦＦＳ（フリンジフィールドスイッチング）を含むＩＰＳ（インプレーンスイッチング）等の横電界モードの液晶を用いた液晶表示デバイスが用いられる。なお、図１３に示す液晶層６と画素基板２との間、及び液晶層６と対向基板３との間には、それぞれ配向膜が配設されてもよい。
【０１０７】
液晶表示デバイス２０は、横電界モードに対応した構成を有しているが、他の表示モードに対応した構成を有していても良い。例えば、液晶表示デバイス２０は、ＴＮ（Twisted  Nematic）モード、ＯＣＢ（Optically  Compensated  Bend）モード、ＶＡ（Vertical  Aligned）モード等の主として基板主面間に生じる縦電界を利用するモードに対応した構成を有していてもよい。縦電界を利用する表示モードでは、例えば画素基板２に画素電極２２が備えられ、対向基板３に駆動電極ＣＯＭＬが備えられた構成が適用可能である。
【０１０８】
対向基板３は、第２絶縁基板３１と、この第２絶縁基板３１の一方の面に形成されたカラーフィルタ３２とを含む。第２絶縁基板３１の他方の面には、タッチ検出デバイス３０の検出電極であるタッチ検出電極ＴＤＬが形成され、さらに、このタッチ検出電極ＴＤＬの上には、偏光板３５が配設されている。
【０１０９】
なお、カラーフィルタ３２の実装方式は、アレイ基板である画素基板２にカラーフィルタ３２が形成された所謂カラーフィルタ・オン・アレイ（ＣＯＡ：Color-filter  On  Array）方式であってもよい。
【０１１０】
図１３に示すカラーフィルタ３２は、例えば赤（Ｒ）、緑（Ｇ）及び青（Ｂ）の３色に着色されたカラーフィルタの色領域を周期的に配置して、各副画素ＳＰｉｘにＲ、Ｇ及びＢの３色の色領域３２Ｒ，３２Ｇ及び３２Ｂが対応付けられ、色領域３２Ｒ，３２Ｇ及び３２Ｂを１組として画素Ｐｉｘを構成している。
【０１１１】
画素Ｐｉｘは、走査信号線ＧＣＬに平行な方向及び画素信号線ＳＧＬに平行な方向に沿って行列状に配置され、表示領域Ａｄを形成する。カラーフィルタ３２は、ＴＦＴ基板２１と垂直な方向において、液晶層６と対向する。このように、副画素ＳＰｉｘは、単色の色表示を行うことができる。
【０１１２】
なお、カラーフィルタ３２は、異なる色に着色されていれば、他の色の組み合わせであってもよい。また、カラーフィルタ３２は、なくてもよい。このように、カラーフィルタ３２が存在しない領域、すなわち着色しない副画素ＳＰｉｘがあってもよい。また、画素Ｐｉｘが有する副画素ＳＰｉｘは４以上であってもよい。
【０１１３】
図１５は、タッチ検出機能付き表示部の駆動電極及びタッチ検出電極の構成例を表す斜視図である。本実施形態に係る駆動電極ＣＯＭＬは、液晶表示デバイス２０の駆動電極として機能するとともに、タッチ検出デバイス３０の駆動電極としても機能する。
【０１１４】
駆動電極ＣＯＭＬは、ＴＦＴ基板２１の表面に対する垂直方向において、画素電極２２に対向している。タッチ検出デバイス３０は、画素基板２に設けられた複数の駆動電極ＣＯＭＬと、対向基板３に設けられた複数のタッチ検出電極ＴＤＬにより構成されている。
【０１１５】
タッチ検出電極ＴＤＬは、駆動電極ＣＯＭＬの電極パターンの延在方向と交差する方向に延在するストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬ及び駆動電極ＣＯＭＬの各電極パターンは、タッチ検出制御部４０に接続されている。
【０１１６】
駆動電極ＣＯＭＬとタッチ検出電極ＴＤＬとが互いに交差した電極パターンは、その交差部分に静電容量を生じさせる。タッチ検出デバイス３０は、相互静電容量方式のタッチ検出を行う場合には、タッチ検出制御部４０から駆動電極ＣＯＭＬに対してタッチ駆動信号Ｖｃｏｍｔｍが印加されることにより、タッチ検出電極ＴＤＬからタッチ検出信号Ｖｄｅｔｍをタッチ検出制御部４０に出力し、タッチ検出が行われるようになっている。
【０１１７】
つまり、駆動電極ＣＯＭＬは、図４から図６までに示した相互静電容量方式のタッチ検出の基本原理における駆動電極Ｅ１に対応し、タッチ検出電極ＴＤＬは、タッチ検出電極Ｅ２に対応する。そして、タッチ検出デバイス３０は、この基本原理に従ってタッチを検出するようになっている。
【０１１８】
このように、タッチ検出デバイス３０は、相互静電容量方式のタッチ検出を行う場合には、第１電極又は第２電極のいずれか一方の電極（例えば、第２電極としての駆動電極ＣＯＭＬ）と静電容量を形成するタッチ検出電極ＴＤＬを有し、相互静電容量の変化に基づいてタッチ検出を行う。
【０１１９】
駆動電極ＣＯＭＬとタッチ検出電極ＴＤＬとが互いに交差した電極パターンは、相互静電容量式タッチセンサをマトリックス状に構成している。よって、タッチ検出制御部４０は、タッチ検出デバイス３０の入力面全体にわたって走査することにより、被検出物の接触又は近接が生じた位置及び接触面積の検出も可能となっている。
【０１２０】
つまり、タッチ検出デバイス３０では、相互静電容量方式のタッチ検出を行う場合には、タッチ検出制御部４０が、駆動電極ＣＯＭＬを時分割的に線順次走査するように駆動する。これにより、駆動電極ＣＯＭＬは、スキャン方向Ｓｃａｎに順次選択される。そして、タッチ検出デバイス３０は、タッチ検出電極ＴＤＬからタッチ検出信号Ｖｄｅｔｍを出力する。
【０１２１】
タッチ検出デバイス３０では、駆動電極ＣＯＭＬを使用した自己静電容量方式のタッチ検出を行う場合には、タッチ検出制御部４０から駆動電極ＣＯＭＬに対してタッチ駆動信号Ｖｃｏｍｔｓ１が印加されることにより、駆動電極ＣＯＭＬからタッチ検出信号Ｖｄｅｔｓ１を出力し、タッチ検出が行われるようになっている。
【０１２２】
つまり、駆動電極ＣＯＭＬは、図７から図１１までに示した自己静電容量方式のタッチ検出の基本原理における電極ＴＬに対応する。そして、タッチ検出デバイス３０は、この基本原理に従ってタッチを検出するようになっている。
【０１２３】
このように、タッチ検出デバイス３０は、駆動電極ＣＯＭＬを使用した自己静電容量方式のタッチ検出を行う場合には、駆動電極ＣＯＭＬの自己静電容量の変化に基づいてタッチ検出を行う。タッチ検出機能付き表示装置１は、駆動電極ＣＯＭＬを使用した自己静電容量方式のタッチ検出では、被検出物のＹ座標を検出することができる。
【０１２４】
タッチ検出制御部４０は、駆動電極ＣＯＭＬを使用した自己静電容量方式のタッチ検出を行う場合には、全ての駆動電極ＣＯＭＬにタッチ駆動信号Ｖｃｏｍｔｓ１を一斉に送信でき、全ての駆動電極ＣＯＭＬからタッチ検出信号Ｖｄｅｔｓ１を一斉に受信できる。従って、タッチ検出機能付き表示装置１が自己静電容量方式のタッチ検出を行うために要する時間は、１水平ラインずつ走査する相互静電容量方式のタッチ検出を行うために要する時間よりも、相対的に短い。
【０１２５】
タッチ検出デバイス３０では、タッチ検出電極ＴＤＬを使用した自己静電容量方式のタッチ検出を行う場合には、タッチ検出制御部４０からタッチ検出電極ＴＤＬに対してタッチ駆動信号Ｖｃｏｍｔｓ２が印加されることにより、タッチ検出電極ＴＤＬからタッチ検出信号Ｖｄｅｔｓ２を出力し、タッチ検出が行われるようになっている。
【０１２６】
つまり、タッチ検出電極ＴＤＬは、図７から図１１までに示した自己静電容量方式のタッチ検出の基本原理における電極ＴＬに対応する。そして、タッチ検出デバイス３０は、この基本原理に従ってタッチを検出するようになっている。
【０１２７】
このように、タッチ検出デバイス３０は、タッチ検出電極ＴＤＬを使用した自己静電容量方式のタッチ検出を行う場合には、タッチ検出電極ＴＤＬの自己静電容量の変化に基づいてタッチ検出を行う。タッチ検出機能付き表示装置１は、タッチ検出電極ＴＤＬを使用した自己静電容量方式のタッチ検出では、被検出物のＸ座標を検出することができる。
【０１２８】
タッチ検出制御部４０は、タッチ検出電極ＴＤＬを使用した自己静電容量方式のタッチ検出を行う場合には、全てのタッチ検出電極ＴＤＬにタッチ駆動信号Ｖｃｏｍｔｓ２を一斉に送信でき、全てのタッチ検出電極ＴＤＬからタッチ検出信号Ｖｄｅｔｓ２を一斉に受信できる。従って、タッチ検出機能付き表示装置１が自己静電容量方式のタッチ検出を行うために要する時間は、１水平ラインずつ走査する相互静電容量方式のタッチ検出を行うために要する時間よりも、相対的に短い。
【０１２９】
タッチ検出制御部４０は、駆動電極ＣＯＭＬを使用した自己静電容量方式のタッチ検出と、タッチ検出電極ＴＤＬを使用した自己静電容量方式のタッチ検出と、の両方を行うことで、被検出物のＸ座標及びＹ座標を検出することができる。
【０１３０】
タッチ検出制御部４０は、駆動電極ＣＯＭＬを使用した自己静電容量方式のタッチ検出と、タッチ検出電極ＴＤＬを使用した自己静電容量方式のタッチ検出と、を一斉に行っても良いし、異なるタイミングで行っても良い。タッチ検出制御部４０は、駆動電極ＣＯＭＬを使用した自己静電容量方式のタッチ検出と、タッチ検出電極ＴＤＬを使用した自己静電容量方式のタッチ検出と、を一斉に行うこととすれば、自己静電容量方式のタッチ検出に要する時間を短くすることができる。タッチ検出制御部４０は、駆動電極ＣＯＭＬを使用した自己静電容量方式のタッチ検出と、タッチ検出電極ＴＤＬを使用した自己静電容量方式のタッチ検出と、を異なるタイミングで行うこととすれば、自己静電容量方式のタッチ検出に使用する電力のピークを低く抑えることができる。
【０１３１】
なお、タッチ検出電極ＴＤＬ又は駆動電極ＣＯＭＬは、ストライプ状に複数に分割される形状に限られない。例えば、タッチ検出電極ＴＤＬ又は駆動電極ＣＯＭＬは、櫛歯形状であってもよい。あるいはタッチ検出電極ＴＤＬ又は駆動電極ＣＯＭＬは、複数に分割されていればよく、駆動電極ＣＯＭＬを分割するスリットの形状は直線であっても、曲線であっても、多角形状であってもよい。
【０１３２】
タッチ検出機能付き表示装置１の動作方法の一例として、タッチ検出機能付き表示装置１は、タッチ検出動作（タッチ検出期間）と表示動作（表示動作期間）とを時分割に行う。
【０１３３】
複数の駆動電極ＣＯＭＬが、本発明の第１群の電極に対応し、複数のタッチ検出電極ＴＤＬが、本発明の第２群の電極に対応する。
【０１３４】
図１６は、タッチ検出制御部の構成を示す図である。タッチ検出電極ＴＤＬ−１，ＴＤＬ−２，・・・，ＴＤＬ−ｎは、タッチ検出制御部４０に接続されている。駆動電極ＣＯＭＬ−１，ＣＯＭＬ−２，・・・，ＣＯＭＬ−ｍは、画像表示動作の際は、図示しないスイッチ等によって、駆動電極ドライバ１４に接続され、タッチ検出動作の際は、上記スイッチ等によって、タッチ検出制御部４０に接続される。
【０１３５】
図１に示すホストＨＯＳＴより上述したモード信号Ｍｏｄｅがタッチ検出制御部４０に入力される。モード信号Ｍｏｄｅに基づいて、タッチ検出制御部４０が相互静電容量方式のタッチ検出動作と自己静電容量方式のタッチ検出動作とを切り換える。また、図１に示す表示制御部１１より、上述した計数値信号Ｃｏｕｎｔがタッチ検出制御部４０に入力される。
【０１３６】
図１６に示すように、タッチ検出制御部４０は、相互静電容量方式のタッチ検出を行う場合は、タッチ駆動信号Ｖｃｏｍｔｍを駆動電極ＣＯＭＬ−１，ＣＯＭＬ−２，・・・，ＣＯＭＬ−ｍに１水平ラインずつ順次出力し、タッチ駆動信号Ｖｃｏｍｔｍを出力する都度、タッチ検出信号Ｖｄｅｔｍをタッチ検出電極ＴＤＬ−１，ＴＤＬ−２，・・・，ＴＤＬ−ｎから受け取る。
【０１３７】
タッチ検出制御部４０は、駆動電極ＣＯＭＬ−１，ＣＯＭＬ−２，・・・，ＣＯＭＬ−ｍを使用した自己静電容量方式のタッチ検出を行う場合は、タッチ駆動信号Ｖｃｏｍｔｓ１を駆動電極ＣＯＭＬ−１，ＣＯＭＬ−２，・・・，ＣＯＭＬ−ｍに一斉に出力し、タッチ検出信号Ｖｄｅｔｓ１を駆動電極ＣＯＭＬ−１，ＣＯＭＬ−２，・・・，ＣＯＭＬ−ｍから一斉に受け取る。
【０１３８】
タッチ検出制御部４０は、タッチ検出電極ＴＤＬ−１，ＴＤＬ−２，・・・，ＴＤＬ−ｎを使用した自己静電容量方式のタッチ検出を行う場合は、タッチ駆動信号Ｖｃｏｍｔｓ２をタッチ検出電極ＴＤＬ−１，ＴＤＬ−２，・・・，ＴＤＬ−ｎに一斉に出力し、タッチ検出信号Ｖｄｅｔｓ２をタッチ検出電極ＴＤＬ−１，ＴＤＬ−２，・・・，ＴＤＬ−ｎから一斉に受け取る。
【０１３９】
タッチ検出制御部４０は、セルフスイッチ４０Ａと、セレクタ４０Ｂと、タッチドライバ４０Ｃと、コントローラ４０Ｄと、を含む。
【０１４０】
駆動電極ＣＯＭＬ−１，ＣＯＭＬ−２，・・・，ＣＯＭＬ−ｍを使用した自己静電容量方式のタッチ検出時のタッチ検出制御部４０内の各部の動作について、説明する。
【０１４１】
コントローラ４０Ｄは、ホストＨＯＳＴから供給されるモード信号Ｍｏｄｅが第２の動作モードを表す場合（例えば、ハイレベル）に、自己静電容量方式のタッチ検出を表す（例えば、ハイレベル）セルフ制御信号Ｓｅｌｆ−Ｃｏｎｔｒｏｌを、セルフスイッチ４０Ａに出力する。
【０１４２】
セルフスイッチ４０Ａは、セルフブロック４０Ａ１と、ミューチャルブロック４０Ａ２と、を含む。駆動電極ＣＯＭＬ−１，ＣＯＭＬ−２，・・・，ＣＯＭＬ−ｍは、セルフブロック４０Ａ１とミューチャルブロック４０Ａ２とに分岐して接続されている。
【０１４３】
セルフブロック４０Ａ１は、複数のスイッチを含む。複数のスイッチは、コントローラ４０Ｄから供給されるセルフ制御信号Ｓｅｌｆ−Ｃｏｎｔｒｏｌが自己静電容量方式のタッチ検出動作を表す場合（例えば、ハイレベル）に、オン状態になる。セルフブロック４０Ａ１内の複数のスイッチがオン状態になることにより、タッチドライバ４０Ｃと駆動電極ＣＯＭＬ−１，ＣＯＭＬ−２，・・・，ＣＯＭＬ−ｍとが、導通される。
【０１４４】
コントローラ４０Ｄは、同期信号ＴＳＶＤをタッチドライバ４０Ｃに出力する。タッチドライバ４０Ｃは、同期信号ＴＳＶＤを受け取ると、複数のタッチ駆動信号Ｖｃｏｍｔｓ１をセルフブロック４０Ａ１に一斉に出力する。
【０１４５】
セルフブロック４０Ａ１内の複数のスイッチは、タッチドライバ４０Ｃから供給される複数のタッチ駆動信号Ｖｃｏｍｔｓ１を駆動電極ＣＯＭＬ−１，ＣＯＭＬ−２，・・・，ＣＯＭＬ−ｍに一斉に伝送すると共に、駆動電極ＣＯＭＬ−１，ＣＯＭＬ−２，・・・，ＣＯＭＬ−ｍから供給される複数のタッチ検出信号Ｖｄｅｔｓ１をタッチドライバ４０Ｃに一斉に伝送する。
【０１４６】
タッチドライバ４０Ｃは、セルフブロック４０Ａ１から供給される複数のタッチ検出信号Ｖｄｅｔｓ１に基づいて、タッチデータ信号ＴＰ−ＤＡＴＡを生成し、コントローラ４０Ｄに出力する。
【０１４７】
タッチ検出電極ＴＤＬ−１，ＴＤＬ−２，・・・，ＴＤＬ−ｎを使用した自己静電容量方式のタッチ検出時のタッチ検出制御部４０内の各部の動作について説明する。
【０１４８】
コントローラ４０Ｄは、ホストＨＯＳＴから供給されるモード信号Ｍｏｄｅが第２の動作モードを表す場合（例えば、ハイレベル）に、自己静電容量方式のタッチ検出を表す（例えば、ハイレベル）セルフ制御信号Ｓｅｌｆ−Ｃｏｎｔｒｏｌを、セルフスイッチ４０Ａに出力する。これは、相互静電容量方式のタッチ検出動作を防止するためである。
【０１４９】
コントローラ４０Ｄは、同期信号ＴＳＶＤを、タッチドライバ４０Ｃに出力する。タッチドライバ４０Ｃは、同期信号ＴＳＶＤを受け取ると、複数のタッチ駆動信号Ｖｃｏｍｔｓ２を、タッチ検出電極ＴＤＬ−１，ＴＤＬ−２，・・・，ＴＤＬ−ｎに、一斉に出力する。
【０１５０】
タッチドライバ４０Ｃは、タッチ検出電極ＴＤＬ−１，ＴＤＬ−２，・・・，ＴＤＬ−ｎから一斉に供給される複数のタッチ検出信号Ｖｄｅｔｓ２に基づいて、タッチデータ信号ＴＰ−ＤＡＴＡを生成し、コントローラ４０Ｄに出力する。
【０１５１】
相互静電容量方式のタッチ検出時のタッチ検出制御部４０内の各部の動作について、説明する。
【０１５２】
コントローラ４０Ｄは、ホストＨＯＳＴから供給されるモード信号Ｍｏｄｅが第１の動作モードを表す場合（例えば、ローレベル）に、相互静電容量方式のタッチ検出を表す（例えば、ローレベル）セルフ制御信号Ｓｅｌｆ−Ｃｏｎｔｒｏｌを、セルフスイッチ４０Ａに出力する。これにより、セルフブロック４０Ａ１内の複数のスイッチは、オフ状態になる。
【０１５３】
ミューチャルブロック４０Ａ２は、複数のスイッチを含む。複数のスイッチは、コントローラ４０Ｄから供給されるセルフ制御信号Ｓｅｌｆ−Ｃｏｎｔｒｏｌが相互静電容量方式のタッチ検出動作を表す場合（例えば、ローレベル）に、オン状態になる。ミューチャルブロック４０Ａ２内の複数のスイッチがオン状態になることにより、セレクタ４０Ｂの複数の出力端と駆動電極ＣＯＭＬ−１，ＣＯＭＬ−２，・・・，ＣＯＭＬ−ｍとが、導通される。
【０１５４】
コントローラ４０Ｄは、駆動電極ＣＯＭＬ−１，ＣＯＭＬ−２，・・・，ＣＯＭＬ−ｍの内の１つを指定する送信電極制御信号Ｔｘ−Ｃｏｎｔｒｏｌを、セレクタ４０Ｂの入力端に出力する。これにより、セレクタ４０Ｂは、駆動電極ＣＯＭＬ−１，ＣＯＭＬ−２，・・・，ＣＯＭＬ−ｍの内の指定された１つの電極とタッチドライバ４０Ｃとを、導通する。
【０１５５】
タッチドライバ４０Ｃは、タッチ駆動信号Ｖｃｏｍｔｍを、セレクタ４０Ｂに出力する。この結果、駆動電極ＣＯＭＬ−１，ＣＯＭＬ−２，・・・，ＣＯＭＬ−ｍの内の指定された１つの電極には、タッチ駆動信号Ｖｃｏｍｔｍが供給される。
【０１５６】
タッチドライバ４０Ｃは、タッチ検出電極ＴＤＬ−１，ＴＤＬ−２，・・・，ＴＤＬ−ｎからタッチ検出信号Ｖｄｅｔｍを受け取る。
【０１５７】
コントローラ４０Ｄは、駆動電極ＣＯＭＬ−１，ＣＯＭＬ−２，・・・，ＣＯＭＬ−ｍの内の１つを、順次指定する。タッチドライバ４０Ｃは、タッチ駆動信号Ｖｃｏｍｔｍをセレクタ４０Ｂに出力し、都度、タッチ検出電極ＴＤＬ−１，ＴＤＬ−２，・・・，ＴＤＬ−ｎからタッチ検出信号Ｖｄｅｔｍを受け取る。タッチドライバ４０Ｃは、タッチ検出電極ＴＤＬ−１，ＴＤＬ−２，・・・，ＴＤＬ−ｎから供給されるタッチ検出信号Ｖｄｅｔｍに基づいて、タッチデータ信号ＴＰ−ＤＡＴＡを生成し、コントローラ４０Ｄに出力する。
【０１５８】
＜タッチ検出機能付き表示装置の動作の概要＞
インセルタイプのタッチ検出機能付き表示装置では、一部の部材が画像表示とタッチ検出とで兼用されるので、画像表示期間とタッチ検出期間とを分ける必要がある。従って、インセルタイプのタッチ検出機能付き表示装置では、画像表示期間は、タッチ検出期間の分だけ、短くする必要がある。
【０１５９】
オンセルタイプのタッチ検出機能付き表示装置では、画像表示のノイズがタッチ検出に影響しないようにするために、画像表示期間とタッチ検出期間とを分けることが望まれる。従って、オンセルタイプのタッチ検出機能付き表示装置でも、画像表示期間は、タッチ検出期間の分だけ、短くすることが望まれる。
【０１６０】
画像表示期間が短くなると、画質の低下又は消費電力の増大を招く。従って、画質の低下の抑制又は消費電力の抑制の観点から、画像表示期間を長くすることが好ましい。画像表示期間を長くするには、タッチ検出期間を短くする必要がある。
【０１６１】
また、画像表示期間とタッチ検出期間とを分けると、画像表示期間とタッチ検出期間との境目で電流又は電圧が切り替わるので、電流又は電圧を供給する部材（例えば、コンデンサ）から音が発生する、いわゆる音鳴りを招く。従って、音鳴りの抑制の観点から、複数の画像表示期間を連続させることが好ましい。
【０１６２】
相互静電容量方式のタッチ検出と、自己静電容量方式のタッチ検出と、を対比する。相互静電容量方式のタッチ検出は、電極を１水平ラインずつ走査しながら駆動するので、被検出物が複数の場合であっても、複数の被検出物の各々の座標を適切に検出できるというメリットがある。つまり、相互静電容量方式のタッチ検出は、マルチタッチを可能にできるというメリットがある。一方、相互静電容量方式のタッチ検出は、電極を１水平ラインずつ走査しながら駆動するので、複数の電極を一斉に駆動する自己静電容量方式のタッチ検出と比較して、相対的に時間が長くなるというデメリットがある。
【０１６３】
自己静電容量方式のタッチ検出は、複数の電極を一斉に駆動するので、電極を１水平ラインずつ走査しながら駆動する相互静電容量方式のタッチ検出と比較して、相対的に時間が短くなるというメリットがある。一方、自己静電容量方式のタッチ検出は、複数の電極を一斉に駆動するので、被検出物が複数の場合には、複数の被検出物の各々の座標を適切に検出できないというデメリットがある。例えば、第１の被検出物が座標（Ｘ１，Ｙ１）をタッチし且つ第２の被検出物が座標（Ｘ２，Ｙ２）をタッチしている場合には、座標（Ｘ１，Ｙ１）及び（Ｘ２，Ｙ２）でタッチ検出されるだけではなく、座標（Ｘ１，Ｙ２）及び（Ｘ２，Ｙ１）でもタッチ検出されてしまう。つまり、座標（Ｘ１，Ｙ２）及び（Ｘ２，Ｙ１）でゴーストタッチが検出されてしまう。従って、自己静電容量方式のタッチ検出は、マルチタッチを可能にできないというデメリットがある。
【０１６４】
タッチ検出機能付き表示装置が利用される電子機器では、マルチタッチを必要とするアプリケーションと、マルチタッチを必要としないアプリケーションと、がある。電子機器は、スマートフォン又はタブレットが例示される。マルチタッチを必要とするアプリケーションは、ゲームアプリケーションが例示される。マルチタッチを必要としないアプリケーションは、電卓アプリケーション、カレンダーアプリケーション、アドレス帳アプリケーション又は動画再生アプリケーションが例示される。
【０１６５】
そこで、本実施形態にかかるタッチ検出機能付き表示装置１は、第１の動作モードでは相互静電容量方式のタッチ検出を行い、第２の動作モードでは自己静電容量方式のタッチ検出を行う。そして、タッチ検出機能付き表示装置１は、マルチタッチを必要とするアプリケーションを第１の動作モードで実行し、マルチタッチを必要としないアプリケーションを第２の動作モードで実行する。これにより、タッチ検出機能付き表示装置１は、画像表示期間を長くすることを可能にする。
【０１６６】
なお、タッチ検出機能付き表示装置１は、第１の動作モードで予め定められた期間タッチが検出されなかったら第２の動作モードに遷移し、第２の動作モードでタッチが検出されたら第１の動作モードに遷移しても良い。
【０１６７】
＜タッチ検出機能付き表示装置の第１の動作モードの動作＞
図１７は、タッチ検出機能付き表示装置の第１の動作モードでの動作シーケンスを示す図である。図１７は、１つのフレームに対する動作シーケンスを示している。図１７に示すように、タッチ検出機能付き表示装置１は、第１のユニットから第１０のユニットまでの１０個のユニットに対して、順次制御を実行する。
【０１６８】
タッチ検出機能付き表示装置１は、タイミングｔ０からタイミングｔ１までの間において、第１のユニットに含まれる３０水平ラインでの画像表示を開始し、タイミングｔ１からタイミングｔ２までの間において、第１のユニットに含まれる３０水平ラインでの相互静電容量方式のタッチ検出を開始する。
【０１６９】
タッチ検出機能付き表示装置１は、タイミングｔ２からタイミングｔ３までの間において、第２のユニットに含まれる３０水平ラインでの画像表示を開始し、タイミングｔ３からタイミングｔ４までの間において、第２のユニットに含まれる３０水平ラインでの相互静電容量方式のタッチ検出を開始する。
【０１７０】
以降同様にして、タッチ検出機能付き表示装置１は、第１０のユニットまでの画像表示及びタッチ検出を行う。
【０１７１】
図１８は、タッチ検出機能付き表示装置の第１の動作モードでの動作タイミングを示す図である。
【０１７２】
本実施形態では、第１の動作モードのフレーム周波数は、５９．９４Ｈｚとするが、これに限定されない。
【０１７３】
１つのフレーム期間Ｔ１は、１つの垂直同期信号Ｖｓｙｎｃの立ち下がりのタイミングｔ１０で開始し、次の垂直同期信号Ｖｓｙｎｃの立ち下がりのタイミングｔ１７で終了する。フレーム期間Ｔ１の始めには、開始ポーチ期間ＶＢＰがあり、フレーム期間Ｔ１の終わりには、終了ポーチ期間ＶＦＰがある。
【０１７４】
ホストＨＯＳＴは、タイミングｔ１０において、垂直同期信号Ｖｓｙｎｃをアサートする。ホストＨＯＳＴは、タイミングｔ１０から開始ポーチ期間ＶＢＰ経過後のタイミングｔ１１において、第１のユニットに含まれる３０水平ライン分の画像信号Ｖｄｉｓｐの出力を開始する。ホストＨＯＳＴは、水平同期信号Ｈｓｙｎｃに同期して、１水平ライン分ずつ画像信号Ｖｄｉｓｐをメモリ１１Ａに出力し、メモリ１１Ａは、ホストＨＯＳＴから供給される画像信号Ｖｄｉｓｐを受け取って記憶する。期間Ｔ２は、第１のユニットに含まれる３０水平ライン分の画像信号Ｖｄｉｓｐの転送期間であり、期間Ｔ３は、第２のユニットに含まれる３０水平ライン分の画像信号Ｖｄｉｓｐの転送期間である。
【０１７５】
遅延回路１１Ｃは、タイミングｔ１０から遅延時間Ｄｅｌａｙ経過後のタイミングｔ１１において、内部垂直同期信号Ｉｎｔ−Ｖｓｙｎｃをアサートする。
【０１７６】
内部水平同期信号生成部１１Ｂは、第１の動作モードでは、水平同期信号Ｈｓｙｎｃの周波数の２倍の周波数を有する内部水平同期信号Ｉｎｔ−Ｈｓｙｎｃを生成して出力する。なお、２倍は例示であり、これに限定されない。内部水平同期信号Ｉｎｔ−Ｈｓｙｎｃの周波数は、水平同期信号Ｈｓｙｎｃの周波数の１．５倍や２．５倍などであっても良い。画像表示期間は、タッチ検出期間を確保する分だけ、短くする必要がある。従って、内部水平同期信号Ｉｎｔ−Ｈｓｙｎｃの周波数は、水平同期信号Ｈｓｙｎｃの周波数よりも高いことが例示される。
【０１７７】
リセット信号出力部１１Ｄは、内部垂直同期信号Ｉｎｔ−Ｖｓｙｎｃがアサートされたタイミングｔ１１において、リセット信号Ｒｅｓｅｔをアサートする。カウンタ１１Ｅは、リセット信号Ｒｅｓｅｔがアサートされると、計数値が０にリセットされる。カウンタ１１Ｅは、その後、水平同期信号Ｈｓｙｎｃを計数する。
【０１７８】
表示パネル制御部１１Ｆは、カウンタ１１Ｅの計数値が予め定められた値であるＡ１になったら、タイミングｔ１２において、第１のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０１７９】
タイミングｔ１１からタイミングｔ１２までの期間は、内部開始ポーチ期間Ｉｎｔ−ＶＢＰである。
【０１８０】
タッチ検出制御部４０は、カウンタ１１Ｅの計数値が予め定められた値であるＡ２になったら、タイミングｔ１３において、第１のユニットに含まれる３０水平ラインでの相互静電容量方式のタッチ検出を開始する。タッチ検出制御部４０は、内部水平同期信号Ｉｎｔ−Ｈｓｙｎｃに同期して、１水平ライン分ずつタッチ検出を行う。
【０１８１】
タイミングｔ１２からタイミングｔ１３までの期間は、第１のユニットの画像表示期間Ｔ５である。
【０１８２】
表示パネル制御部１１Ｆは、カウンタ１１Ｅの計数値が予め定められた値であるＡ３になったら、タイミングｔ１４において、第２のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０１８３】
タイミングｔ１３からタイミングｔ１４までの期間は、第１のユニットのタッチ検出期間Ｔ６である。また、タイミングｔ１２からタイミングｔ１４までの期間は、第１のユニットの制御期間Ｔ４である。
【０１８４】
第１のユニットの画像表示期間Ｔ５が第１のユニットのタッチ検出期間Ｔ６と同じ場合には、内部水平同期信号Ｉｎｔ−Ｈｓｙｎｃの周波数は、水平同期信号Ｈｓｙｎｃの周波数の２倍とすると良い。第１のユニットの画像表示期間Ｔ５が第１のユニットのタッチ検出期間Ｔ６より長い場合には、内部水平同期信号Ｉｎｔ−Ｈｓｙｎｃの周波数は、水平同期信号Ｈｓｙｎｃの周波数の１倍より大きく且つ２倍より小さくすると良い。第１のユニットの画像表示期間Ｔ５が第１のユニットのタッチ検出期間Ｔ６より短い場合には、内部水平同期信号Ｉｎｔ−Ｈｓｙｎｃの周波数は、水平同期信号Ｈｓｙｎｃの周波数の２倍より大きくすると良い。
【０１８５】
タッチ検出制御部４０は、カウンタ１１Ｅの計数値が予め定められた値であるＡ４になったら、タイミングｔ１５において、第２のユニットに含まれる３０水平ラインでの相互静電容量方式のタッチ検出を開始する。
【０１８６】
タイミングｔ１４からタイミングｔ１５までの期間は、第２のユニットの画像表示期間Ｔ８である。
【０１８７】
表示パネル制御部１１Ｆは、カウンタ１１Ｅの計数値が予め定められた値であるＡ５になったら、タイミングｔ１６において、第３のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０１８８】
タイミングｔ１５からタイミングｔ１６までの期間は、第２のユニットのタッチ検出期間Ｔ９である。また、タイミングｔ１４からタイミングｔ１６までの期間は、第２のユニットの制御期間Ｔ７である。
【０１８９】
タイミングｔ１６において、第３のユニットの制御期間Ｔ１０及び第３のユニットの画像表示期間Ｔ１１が開始し、タイミングｔ１７において、第１０のユニットの制御期間Ｔ１２及び第１０のユニットのタッチ検出期間Ｔ１３が終了する。
【０１９０】
タイミングｔ１７から内部垂直同期信号Ｉｎｔ−Ｖｓｙｎｃがアサートされるタイミングｔ１８までの期間は、内部終了ポーチ期間Ｉｎｔ−ＶＦＰである。
【０１９１】
図１９は、タッチ検出機能付き表示装置の第１の動作モードでの動作を示すフローチャートである。タッチ検出機能付き表示装置１は、ステップＳ１００において、第１のユニットから第１０のユニットまでのうち１つのユニットの選択を行う。
【０１９２】
表示パネル制御部１１Ｆは、ステップＳ１０１において、ステップＳ１００で選択された１つのユニットでの画像表示を行う。
【０１９３】
タッチ検出制御部４０は、ステップＳ１０２において、ステップＳ１００で選択された１つのユニットでのタッチ検出を行う。
【０１９４】
次に、タッチ検出機能付き表示装置１は、第１のユニットから第１０のユニットまでの全てのユニットの処理が終了していない場合（ステップＳ１０３，Ｎｏ）、処理をステップＳ１００に戻す処理を行う。タッチ検出機能付き表示装置１は、ステップＳ１００において、次の１つのユニットの選択を行う。タッチ検出機能付き表示装置１は、第１のユニットから第１０のユニットまで、全てのユニットの処理が終了している場合（ステップＳ１０３，Ｙｅｓ）、第１の動作モードでの動作処理を終了する。
【０１９５】
＜タッチ検出機能付き表示装置の第２の動作モードの動作＞
次に、タッチ検出機能付き表示装置１の第２の動作モードでの動作について、説明する。図２０は、タッチ検出機能付き表示装置の第２の動作モードでの動作シーケンスを示す図である。図２０は、１つのフレームに対する動作シーケンスを示している。図２０に示すように、タッチ検出機能付き表示装置１は、第１のユニットから第１０のユニットまでの１０個のユニットに対して、順次画像表示を行い、第１のユニットから第１０のユニットまでの１０個のユニットの画像表示が終了後に、自己静電容量方式のタッチ検出を行う。
【０１９６】
タッチ検出機能付き表示装置１は、タイミングｔ２０からタイミングｔ２１までの間において、第１のユニットに含まれる３０水平ラインでの画像表示を開始する。
【０１９７】
タッチ検出機能付き表示装置１は、タイミングｔ２１からタイミングｔ２２までの間において、第２のユニットに含まれる３０水平ラインでの画像表示を開始する。
【０１９８】
タッチ検出機能付き表示装置１は、第１０のユニットの画像表示が終わったタイミングｔ２３において、自己静電容量方式のタッチ検出を行う。このとき、タッチ検出機能付き表示装置１は、駆動電極ＣＯＭＬにタッチ駆動信号Ｖｃｏｍｔｓ１を一斉に供給してＹ方向のタッチ検出を行うとともに、タッチ検出電極ＴＤＬにタッチ駆動信号Ｖｃｏｍｔｓ２を一斉に供給してＸ方向のタッチ検出を行っても良い。これにより、タッチ検出機能付き表示装置１は、自己静電容量方式のタッチ検出に要する時間を短くすることができる。
【０１９９】
タッチ検出機能付き表示装置１は、Ｘ方向のタッチ検出とＹ方向のタッチ検出とを異なるタイミングで行っても良い。図２１は、タッチ検出機能付き表示装置の第２の動作モードでの動作シーケンスを示す図である。図２１は、１つのフレームに対する動作シーケンスを示している。図２１に示すように、タッチ検出機能付き表示装置１は、第１０のユニットの画像表示が終わったタイミングｔ２３において、Ｘ方向（又はＹ方向）の自己静電容量方式のタッチ検出を行う。次に、タッチ検出機能付き表示装置１は、Ｘ方向（又はＹ方向）の自己静電容量方式のタッチ検出画像表示が終わったタイミングｔ２４において、Ｙ方向（又はＸ方向）の自己静電容量方式のタッチ検出を行う。これにより、タッチ検出機能付き表示装置１は、自己静電容量方式のタッチ検出に使用する電力のピークを低く抑えることができる。
【０２００】
＜タッチ検出機能付き表示装置の第２の動作モードの第１の動作タイミング＞
タッチ検出機能付き表示装置１の第２の動作モードでの動作タイミングについて、説明する。先に、第２の動作モードのフレーム周波数が第１の動作モードのフレーム周波数（例えば、５９．９４Ｈｚ）よりも低い周波数（例えば、２９．９７Ｈｚ）である場合の動作タイミングについて説明し、後で、第２の動作モードのフレーム周波数が第１の動作モードのフレーム周波数よりも高い周波数（例えば、１１９．８８Ｈｚ）である場合の動作タイミングについて説明する。
【０２０１】
第２の動作モードのフレーム周波数（例えば、２９．９７Ｈｚ）で実行されるアプリケーションは、電卓アプリケーション、カレンダーアプリケーション又はアドレス帳アプリケーションが例示されるが、これらに限定されない。
【０２０２】
図２２は、タッチ検出機能付き表示装置の第２の動作モードでの動作タイミングを示す図である。図２２は、第２の動作モードのフレーム周波数が第１の動作モードのフレーム周波数（例えば、５９．９４Ｈｚ）よりも低い周波数（例えば、２９．９７Ｈｚ）である場合の動作タイミングを示す図である。
【０２０３】
１つのフレーム期間Ｔ２１は、１つの垂直同期信号Ｖｓｙｎｃの立ち下がりのタイミングｔ３０で開始し、次の垂直同期信号Ｖｓｙｎｃの立ち下がりのタイミングｔ３７で終了する。フレーム期間Ｔ２１の始めには、開始ポーチ期間ＶＢＰがあり、フレーム期間Ｔ２１の終わりには、終了ポーチ期間ＶＦＰがある。
【０２０４】
ホストＨＯＳＴは、タイミングｔ３０において、垂直同期信号Ｖｓｙｎｃをアサートする。ホストＨＯＳＴは、タイミングｔ３０から開始ポーチ期間ＶＢＰ経過後のタイミングｔ３１において、第１のユニットに含まれる３０水平ライン分の画像信号Ｖｄｉｓｐの出力を開始する。ホストＨＯＳＴは、水平同期信号Ｈｓｙｎｃに同期して、１水平ライン分ずつ画像信号Ｖｄｉｓｐをメモリ１１Ａに出力し、メモリ１１Ａは、ホストＨＯＳＴから供給される画像信号Ｖｄｉｓｐを受け取って記憶する。期間Ｔ２２は、第１のユニットに含まれる３０水平ライン分の画像信号Ｖｄｉｓｐの転送期間であり、期間Ｔ２３は、第２のユニットに含まれる３０水平ライン分の画像信号Ｖｄｉｓｐの転送期間である。
【０２０５】
遅延回路１１Ｃは、タイミングｔ３０から遅延時間Ｄｅｌａｙ経過後のタイミングｔ３１において、内部垂直同期信号Ｉｎｔ−Ｖｓｙｎｃをアサートする。
【０２０６】
内部水平同期信号生成部１１Ｂは、第２の動作モードでは、水平同期信号Ｈｓｙｎｃの周波数と同じ周波数を有する内部水平同期信号Ｉｎｔ−Ｈｓｙｎｃを生成して出力する。なお、内部水平同期信号Ｉｎｔ−Ｈｓｙｎｃの周波数が水平同期信号Ｈｓｙｎｃの周波数と同じというのは例示であり、これに限定されない。内部水平同期信号Ｉｎｔ−Ｈｓｙｎｃの周波数は、水平同期信号Ｈｓｙｎｃの周波数の０．７５倍や０．８倍などであっても良い。内部水平同期信号Ｉｎｔ−Ｈｓｙｎｃの周波数は、水平同期信号Ｈｓｙｎｃの周波数の１倍以下が例示される。
【０２０７】
リセット信号出力部１１Ｄは、内部垂直同期信号Ｉｎｔ−Ｖｓｙｎｃがアサートされたタイミングｔ３１において、リセット信号Ｒｅｓｅｔをアサートする。カウンタ１１Ｅは、リセット信号Ｒｅｓｅｔがアサートされると、計数値が０にリセットされる。カウンタ１１Ｅは、その後、水平同期信号Ｈｓｙｎｃを計数する。
【０２０８】
表示パネル制御部１１Ｆは、カウンタ１１Ｅの計数値が予め定められた値であるＢ１になったら、タイミングｔ３２において、第１のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２０９】
タイミングｔ３１からタイミングｔ３２までの期間は、内部開始ポーチ期間Ｉｎｔ−ＶＢＰである。
【０２１０】
表示パネル制御部１１Ｆは、カウンタ１１Ｅの計数値が予め定められた値であるＢ２になったら、タイミングｔ３３において、第２のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２１１】
タイミングｔ３２からタイミングｔ３３までの期間は、第１のユニットの画像表示期間Ｔ２４である。
【０２１２】
表示パネル制御部１１Ｆは、カウンタ１１Ｅの計数値が予め定められた値であるＢ３になったら、タイミングｔ３４において、第３のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２１３】
タイミングｔ３３からタイミングｔ３４までの期間は、第２のユニットの画像表示期間Ｔ２５である。
【０２１４】
タイミングｔ３４において、第３のユニットの画像表示期間Ｔ２６が開始し、タイミングｔ３５において、第１０のユニットの画像表示期間Ｔ２７が終了する。
【０２１５】
タッチ検出制御部４０は、カウンタ１１Ｅの計数値が予め定められた値であるＢ４になったら、タイミングｔ３５において、自己静電容量方式のタッチ検出を行う。タッチ検出制御部４０は、駆動電極ＣＯＭＬにタッチ駆動信号Ｖｃｏｍｔｓ１を一斉に供給してＹ方向のタッチ検出を行うとともに、タッチ検出電極ＴＤＬにタッチ駆動信号Ｖｃｏｍｔｓ２を一斉に供給してＸ方向のタッチ検出を行っても良い。或いは、タッチ検出制御部４０は、Ｘ方向（又はＹ方向）の自己静電容量方式のタッチ検出を行い、Ｘ方向（又はＹ方向）の自己静電容量方式のタッチ検出が終わったら、Ｙ方向（又はＸ方向）の自己静電容量方式のタッチ検出を行っても良い。
【０２１６】
タイミングｔ３５から、タッチ検出が終了するタイミングｔ３６までの期間は、タッチ検出期間Ｔ２８である。
【０２１７】
タイミングｔ３６から、内部垂直同期信号Ｉｎｔ−Ｖｓｙｎｃがアサートされるタイミングｔ３８までの期間は、内部終了ポーチ期間Ｉｎｔ−ＶＦＰである。
【０２１８】
第２の動作モードでの第１のユニットの画像表示期間Ｔ２４（図２２参照）の長さと、第１の動作モードでの第１のユニットの画像表示期間Ｔ５（図１８参照）の長さとは、異なっても良い。第２の動作モードでの第１のユニットの画像表示期間Ｔ２４の長さは、第１の動作モードでの第１のユニットの画像表示期間Ｔ５の長さより、長くても良い。
【０２１９】
図２３は、タッチ検出機能付き表示装置の第２の動作モードでの動作を示すフローチャートである。タッチ検出機能付き表示装置１は、ステップＳ２００において、第１のユニットから第１０のユニットまでのうち１つのユニットの選択を行う。
【０２２０】
表示パネル制御部１１Ｆは、ステップＳ２０１において、ステップＳ２００で選択された１つのユニットでの画像表示を行う。
【０２２１】
次に、タッチ検出機能付き表示装置１は、第１のユニットから第１０のユニットまでの全てのユニットの処理が終了していない場合（ステップＳ２０２，Ｎｏ）、処理をステップＳ２００に戻す処理を行う。タッチ検出機能付き表示装置１は、ステップＳ２００において、次の１つのユニットの選択を行う。
【０２２２】
第１のユニットから第１０のユニットまで、全てのユニットの処理が終了している場合（ステップＳ２０２，Ｙｅｓ）、タッチ検出制御部４０は、ステップＳ２０３において、自己静電容量方式のタッチ検出を行う。
【０２２３】
なお、タッチ検出機能付き表示装置１は、内部水平同期信号Ｉｎｔ−Ｈｓｙｎｃの周波数を水平同期信号Ｈｓｙｎｃと同じにした場合には、タッチ検出期間Ｔ２８の分だけ、内部終了ポーチ期間Ｉｎｔ−ＶＦＰが短くなる。タッチ検出機能付き表示装置１は、内部終了ポーチ期間Ｉｎｔ−ＶＦＰがタッチ検出期間Ｔ２８の分のマージンを有しているならば、内部終了ポーチ期間Ｉｎｔ−ＶＦＰをタッチ検出期間Ｔ２８の分だけ短くして、内部水平同期信号Ｉｎｔ−Ｈｓｙｎｃの周波数を水平同期信号Ｈｓｙｎｃと同じにすることができる。
【０２２４】
タッチ検出機能付き表示装置１は、第１から第１０までのユニットの画像信号Ｖｄｉｓｐの転送期間と、第１から第１０までのユニットの画像表示期間にタッチ検出期間を加えた期間と、を同じにしても良い。
【０２２５】
例えば、タッチ検出機能付き表示装置１は、内部水平同期信号Ｉｎｔ−Ｈｓｙｎｃの周波数を、水平同期信号Ｈｓｙｎｃと比較して、相対的に高くすることとしても良い。このようにすれば、第１のユニットの画像表示期間Ｔ２４が第１のユニットの画像信号Ｖｄｉｓｐの転送期間Ｔ２２よりも相対的に短くなり、第２のユニットの画像表示期間Ｔ２５が第２のユニットの画像信号Ｖｄｉｓｐの転送期間Ｔ２３よりも相対的に短くなる。つまり、第１から第１０までのユニットの画像表示期間が、第１から第１０までのユニットの画像信号Ｖｄｉｓｐの転送期間よりも、相対的に短くなる。従って、タッチ検出機能付き表示装置１は、第１から第１０までのユニットの画像信号Ｖｄｉｓｐの転送期間と第１から第１０までのユニットの画像表示期間との差分を、タッチ検出期間Ｔ２８に割り当てることができる。
【０２２６】
タッチ検出機能付き表示装置１は、内部水平同期信号Ｉｎｔ−Ｈｓｙｎｃの周波数を水平同期信号Ｈｓｙｎｃと比較して相対的に高くするために、水平同期信号Ｈｓｙｎｃの周波数をそのままにして、内部水平同期信号Ｉｎｔ−Ｈｓｙｎｃの周波数を高くすることとしても良い。或いは、タッチ検出機能付き表示装置１は、内部水平同期信号Ｉｎｔ−Ｈｓｙｎｃの周波数を水平同期信号Ｈｓｙｎｃと比較して相対的に高くするために、内部水平同期信号Ｉｎｔ−Ｈｓｙｎｃの周波数をそのままにして、水平同期信号Ｈｓｙｎｃの周波数を低くすることとしても良い。或いは、タッチ検出機能付き表示装置１は、内部水平同期信号Ｉｎｔ−Ｈｓｙｎｃの周波数を水平同期信号Ｈｓｙｎｃと比較して相対的に高くするために、水平同期信号Ｈｓｙｎｃの周波数を低くし且つ内部水平同期信号Ｉｎｔ−Ｈｓｙｎｃの周波数を高くすることとしても良い。
【０２２７】
タッチ検出機能付き表示装置１は、予め定められたアプリケーション（例えば、電卓アプリケーション、カレンダーアプリケーション又はアドレス帳アプリケーション）の実行時は第２の動作モードに遷移し、予め定められたアプリケーション以外のアプリケーション（例えば、ゲームアプリケーション）の実行時は第１の動作モードに遷移しても良い。
【０２２８】
或いは、タッチ検出機能付き表示装置１は、第１の動作モードで予め定められた期間タッチが検出されなかったら第２の動作モードに遷移し、第２の動作モードでタッチが検出されたら第１の動作モードに遷移しても良い。
【０２２９】
［効果］
タッチ検出機能付き表示装置１は、次の効果を奏する。タッチ検出機能付き表示装置１は、第１の動作モードでは相互静電容量方式のタッチ検出を行い、第２の動作モードでは自己静電容量方式のタッチ検出を行う。自己静電容量方式のタッチ検出に要する時間は、相互静電容量方式のタッチ検出と比較して、相対的に短い。従って、タッチ検出機能付き表示装置１は、第２の動作モードでは、第１から第１０のユニットの各々の画像表示期間を長くすることができる。これにより、タッチ検出機能付き表示装置１は、画質の低下を抑制することができる。
【０２３０】
また、第１から第１０のユニットに対する複数の画像表示期間の間に複数のタッチ検出期間がそれぞれ設けられると、各部の電流又は電圧の変化に起因する音鳴りが大きく、第１から第１０のユニットに対する複数の画像表示期間が続けて設けられると、音鳴りが小さい。タッチ検出機能付き表示装置１は、第２の動作モードでは、第１から第１０のユニットに対する複数の画像表示期間を続けて設けることができる。従って、タッチ検出機能付き表示装置１は、第２の動作モードでは、音鳴りを抑制することができる。
【０２３１】
また、タッチ検出機能付き表示装置１は、第２の動作モードでは、消費電力を抑制することができる。図２４は、ソースドライバ、ソースセレクタ及び液晶表示デバイスの構成を示す図である。
【０２３２】
ソースドライバ１３は、基準電位Ｖｓｓ（例えば、接地電位ＧＮＤ）よりも高い電位が第１の電源６１から供給され、基準電位Ｖｓｓよりも低い電位が第２の電源６２から供給される。
【０２３３】
ソースドライバ１３は、第１の電源６１の出力電位、第２の電源６２の出力電位及び基準電位Ｖｓｓの内の１つの電位を選択してソースセレクタ１３Ｓに出力するスイッチＳＷ１及びＳＷ２を含む。ソースドライバ１３は、表示パネル制御部１１Ｆから受け取った、時分割多重化された画像信号Ｖｓｉｇをソースセレクタ１３Ｓに出力する画像信号出力部６４を含む。ソースドライバ１３は、モード信号Ｍｏｄｅに基づいて、スイッチＳＷ１及びＳＷ２を制御するスイッチ制御部６３を含む。スイッチＳＷ１で選択された電位は、スイッチ制御信号ＶｓｅｌＡとしてソースセレクタ１３Ｓに出力される。スイッチＳＷ２で選択された電位は、スイッチ制御信号ＶｓｅｌＢとしてソースセレクタ１３Ｓに出力される。
【０２３４】
液晶表示デバイス２０は、第１の画素行７０と、第２の画素行８０と、を含む。第１の画素行７０は、水平方向（Ｘ方向）に沿って、Ｒ（赤）の副画素７１と、Ｇ（緑）の副画素７２と、Ｂ（青）の副画素７３と、Ｒ（赤）の副画素７４と、を含む。第２の画素行８０は、水平方向（Ｘ方向）に沿って、Ｒ（赤）の副画素８１と、Ｇ（緑）の副画素８２と、Ｂ（青）の副画素８３と、Ｒ（赤）の副画素８４と、を含む。
【０２３５】
Ｒ（赤）の副画素７１及びＲ（赤）の副画素８１は、画素信号線ＳＧＬ−１に接続されている。Ｇ（緑）の副画素７２及びＧ（緑）の副画素８２は、画素信号線ＳＧＬ−２に接続されている。Ｂ（青）の副画素７３及びＢ（青）の副画素８３は、画素信号線ＳＧＬ−３に接続されている。Ｒ（赤）の副画素７４及びＲ（赤）の副画素８４は、画素信号線ＳＧＬ−４に接続されている。
【０２３６】
ソースセレクタ１３Ｓは、スイッチ制御信号ＶｓｅｌＡが印加される配線９１と、スイッチ制御信号ＶｓｅｌＢが印加される配線９２と、第１群のスイッチ９３と、第２群のスイッチ９４と、を含む。第１群のスイッチ９３は、ソースドライバ１３から供給されるスイッチ制御信号ＶｓｅｌＡによって開閉制御される。第２群のスイッチ９４は、ソースドライバ１３から供給されるスイッチ制御信号ＶｓｅｌＢによって開閉制御される。
【０２３７】
第１群のスイッチ９３内のスイッチ９３Ａの一端には、ソースドライバ１３から画像信号Ｖｓｉｇ−１が供給される。スイッチ９３Ａの他端は、画素信号線ＳＧＬ−１を介して、副画素７１及び８１に接続されている。第２群のスイッチ９４内のスイッチ９４Ａの一端には、ソースドライバ１３から画像信号Ｖｓｉｇ−１が供給される。スイッチ９４Ａの他端は、画素信号線ＳＧＬ−３を介して、副画素７３及び８３に接続されている。第１群のスイッチ９３内のスイッチ９３Ｂの一端には、ソースドライバ１３から画像信号Ｖｓｉｇ−２が供給される。スイッチ９３Ｂの他端は、画素信号線ＳＧＬ−２を介して、副画素７２及び８２に接続されている。第２群のスイッチ９４内のスイッチ９４Ｂの一端には、ソースドライバ１３から画像信号Ｖｓｉｇ−２が供給される。スイッチ９４Ｂの他端は、画素信号線ＳＧＬ−４を介して、副画素７４及び８４に接続されている。
【０２３８】
この構成により、ソースセレクタ１３Ｓは、スイッチ制御信号ＶｓｅｌＡ及びＶｓｅｌＢに応じて、第１群のスイッチ９３及び第２群のスイッチ９４を時分割的に順次切り替えてオン（ＯＮ）状態にすることができる。これにより、ソースセレクタ１３Ｓは、多重化された画像信号Ｖｓｉｇ−１及びＶｓｉｇ−２から画素信号Ｖｐｉｘ−１，Ｖｐｉｘ−２，Ｖｐｉｘ−３及びＶｐｉｘ−４を分離する。そして、ソースセレクタ１３Ｓは、画素信号Ｖｐｉｘ−１，Ｖｐｉｘ−２，Ｖｐｉｘ−３及びＶｐｉｘ−４を、副画素７１〜７４及び８１〜８４にそれぞれ供給する。
【０２３９】
スイッチ制御信号ＶｓｅｌＡがハイレベルの場合には、画素信号Ｖｐｉｘ−１は、画素信号線ＳＧＬ−１に供給され、画素信号Ｖｐｉｘ−２は、画素信号線ＳＧＬ−２に供給される。スイッチ制御信号ＶｓｅｌＢがハイレベルの場合には、画素信号Ｖｐｉｘ−１は、Ｂ（青）の副画素７３及びＢ（青）の副画素８３に接続された画素信号線ＳＧＬ−３に供給され、画素信号Ｖｐｉｘ−２は、Ｒ（赤）の副画素７４及びＲ（赤）の副画素８４に接続された画素信号線ＳＧＬ−４に供給される。
【０２４０】
図２５は、画素信号の副画素への書き込みタイミングを示す図である。図２５（Ａ）は、第１の動作モードでの画素信号の副画素への書き込みタイミングを示し、図２５（Ｂ）は、第２の動作モードでの画素信号の副画素への書き込みタイミングを示す。図２５（Ａ）及び（Ｂ）は、２水平ライン分の書き込みタイミングを示す。
【０２４１】
図２５（Ａ）を参照すると、タイミングｔ４０からタイミングｔ４３までの１水平ライン分の書き込み期間では、画像信号Ｖｓｉｇ−１及びＶｓｉｇ−２が第１の画素行７０内の副画素に書き込まれ、タイミングｔ４３からタイミングｔ４４までの１水平ライン分の書き込み期間では、画像信号Ｖｓｉｇ−１及びＶｓｉｇ−２が第２の画素行８０内の副画素に書き込まれる。
【０２４２】
図２５（Ｂ）を参照すると、タイミングｔ５０からタイミングｔ５５までの１水平ライン分の書き込み期間では、画像信号Ｖｓｉｇ−１及びＶｓｉｇ−２が第１の画素行７０内の副画素に書き込まれ、タイミングｔ５５からタイミングｔ５６までの１水平ライン分の書き込み期間では、画像信号Ｖｓｉｇ−１及びＶｓｉｇ−２が第２の画素行８０内の副画素に書き込まれる。
【０２４３】
先に説明したように、タッチ検出機能付き表示装置１は、第２の動作モードでは、第１から第１０のユニットの各々の画像表示期間を長くすることができる。従って、タイミングｔ５０からタイミングｔ５５までの１水平ライン分の書き込み期間は、タイミングｔ４０からタイミングｔ４３までの１水平ライン分の書き込み期間よりも長い。
【０２４４】
図２５（Ａ）に示すように、スイッチ制御部６３は、第１の動作モードでは、１水平ライン分の書き込み期間が短いので、スイッチ制御信号ＶｓｅｌＡを、タイミングｔ４１で急峻に立ち上げ、タイミングｔ４２で急峻に立ち下げる必要がある。従って、第１の動作モードでは、第１の電源６１及び第２の電源６２は、大きな電位変化を短時間で実現するので、消費電力が大きくなる。第１の動作モードでは、スイッチ制御部６３は、タイミングｔ４１では、スイッチＳＷ１を第１の電源６１に接続して、配線９１をハイレベルにする。スイッチ制御部６３は、タイミングｔ４２では、スイッチＳＷ１を第２の電源６２に接続して、配線９１をローレベルにする。
【０２４５】
このように、スイッチ制御部６３は、第１の動作モードでは、基準電位Ｖｓｓを使用せずに、第１の電源６１の出力電位と第２の電源６２の出力電位とを切り換えることで、スイッチ制御信号ＶｓｅｌＡの立ち上がりエッジ及び立ち下がりエッジを急峻にする必要がある。
【０２４６】
一方、図２５（Ｂ）に示すように、スイッチ制御部６３は、第２の動作モードでは、１水平ライン分の書き込み期間が長いので、スイッチ制御信号ＶｓｅｌＡを、緩やかに立ち上げ、緩やかに立ち下げることが可能である。従って、第２の動作モードでは、第１の電源６１及び第２の電源６２は、第１の動作モードと比較して、相対的に小さな電位変化を実現するので、相対的に消費電力を低くできる。スイッチ制御部６３は、タイミングｔ５１では、スイッチＳＷ１を基準電位Ｖｓｓに接続して、配線９１を基準電位Ｖｓｓにプリチャージする。スイッチ制御部６３は、タイミングｔ５２では、スイッチＳＷ１を第１の電源６１に接続して、配線９１をハイレベルにする。スイッチ制御部６３は、タイミングｔ５３では、スイッチＳＷ１を基準電位Ｖｓｓに接続して、配線９１を基準電位Ｖｓｓにプリチャージする。スイッチ制御部６３は、タイミングｔ５４では、スイッチＳＷ１を第２の電源６２に接続して、配線９１をローレベルにする。
【０２４７】
このように、スイッチ制御部６３は、第２の動作モードでは、基準電位Ｖｓｓを使用して配線９１をプリチャージできるので、スイッチ制御信号ＶｓｅｌＡの立ち上がりエッジ及び立ち下がりエッジを緩やかにできる。従って、第１の電源６１及び第２の電源６２のバイアス電流が第１の動作モードと比較して相対的に小さくなり、消費電力が第１の動作モードと比較して相対的に低くなる。
【０２４８】
なお、第２の動作モードのタイミングｔ５２からタイミングｔ５３までのスイッチ制御信号ＶｓｅｌＡのハイレベルの期間は、第１の動作モードのタイミングｔ４１からタイミングｔ４２までのスイッチ制御信号ＶｓｅｌＡのハイレベルの期間と同じであっても良い。或いは、電位変化が抑制されるので、第２の動作モードのタイミングｔ５２からタイミングｔ５３までのスイッチ制御信号ＶｓｅｌＡのハイレベルの期間は、第１の動作モードのタイミングｔ４１からタイミングｔ４２までのスイッチ制御信号ＶｓｅｌＡのハイレベルの期間より短くしても良い。第２の動作モードのタイミングｔ５１からタイミングｔ５４までの期間は、第１の動作モードのタイミングｔ４１からタイミングｔ４２までの期間より長くても良い。
【０２４９】
以上説明したように、タッチ検出機能付き表示装置１は、第１の動作モードでは相互静電容量方式のタッチ検出を行い、第２の動作モードでは自己静電容量方式のタッチ検出を行うことで、第２の動作モードでの消費電力を抑制することができる。
【０２５０】
＜タッチ検出機能付き表示装置の第２の動作モードの第２の動作タイミング＞
第２の動作モードのフレーム周波数が第１の動作モードのフレーム周波数（例えば、５９．９４Ｈｚ）よりも高い周波数（例えば、１１９．８８Ｈｚ）である場合の、タッチ検出機能付き表示装置１の第２の動作モードでの動作タイミングについて説明する。
【０２５１】
第２の動作モードのフレーム周波数（例えば、１１９．８８Ｈｚ）で実行されるアプリケーションは、動画再生アプリケーションが例示されるが、これに限定されない。
【０２５２】
図２６は、タッチ検出機能付き表示装置の第２の動作モードでの動作タイミングを示す図である。図２６は、第２の動作モードのフレーム周波数が第１の動作モードのフレーム周波数（例えば、５９．９４Ｈｚ）よりも高い周波数（例えば、１１９．８８Ｈｚ）である場合の動作タイミングを示す図である。
【０２５３】
１つのフレーム期間Ｔ３１は、１つの垂直同期信号Ｖｓｙｎｃの立ち下がりのタイミングｔ６０で開始し、次の垂直同期信号Ｖｓｙｎｃの立ち下がりのタイミングｔ６５で終了する。フレーム期間Ｔ３１の始めには、開始ポーチ期間ＶＢＰがあり、フレーム期間Ｔ３１の終わりには、終了ポーチ期間ＶＦＰがある。
【０２５４】
ホストＨＯＳＴは、タイミングｔ６０において、垂直同期信号Ｖｓｙｎｃをアサートする。ホストＨＯＳＴは、タイミングｔ６０から開始ポーチ期間ＶＢＰ経過後のタイミングｔ６１において、第１のユニットに含まれる３０水平ライン分の画像信号Ｖｄｉｓｐの出力を開始する。ホストＨＯＳＴは、水平同期信号Ｈｓｙｎｃに同期して、１水平ライン分ずつ画像信号Ｖｄｉｓｐをメモリ１１Ａに出力し、メモリ１１Ａは、ホストＨＯＳＴから供給される画像信号Ｖｄｉｓｐを受け取って記憶する。期間Ｔ３２は、第１のユニットに含まれる３０水平ライン分の画像信号Ｖｄｉｓｐの転送期間であり、期間Ｔ３３は、第２のユニットに含まれる３０水平ライン分の画像信号Ｖｄｉｓｐの転送期間である。
【０２５５】
遅延回路１１Ｃは、タイミングｔ６０から遅延時間Ｄｅｌａｙ経過後のタイミングｔ６２において、内部垂直同期信号Ｉｎｔ−Ｖｓｙｎｃをアサートする。
【０２５６】
内部水平同期信号生成部１１Ｂは、第２の動作モードでは、水平同期信号Ｈｓｙｎｃの周波数と同じ周波数を有する内部水平同期信号Ｉｎｔ−Ｈｓｙｎｃを生成して出力する。なお、内部水平同期信号Ｉｎｔ−Ｈｓｙｎｃの周波数が水平同期信号Ｈｓｙｎｃの周波数と同じというのは例示であり、これに限定されない。内部水平同期信号Ｉｎｔ−Ｈｓｙｎｃの周波数は、水平同期信号Ｈｓｙｎｃの周波数の０．７５倍や０．８倍などであっても良い。内部水平同期信号Ｉｎｔ−Ｈｓｙｎｃの周波数は、水平同期信号Ｈｓｙｎｃの周波数の１倍以下が例示される。
【０２５７】
リセット信号出力部１１Ｄは、内部垂直同期信号Ｉｎｔ−Ｖｓｙｎｃがアサートされたタイミングｔ６２において、リセット信号Ｒｅｓｅｔをアサートする。カウンタ１１Ｅは、リセット信号Ｒｅｓｅｔがアサートされると、計数値が０にリセットされる。カウンタ１１Ｅは、その後、水平同期信号Ｈｓｙｎｃを計数する。
【０２５８】
表示パネル制御部１１Ｆは、カウンタ１１Ｅの計数値が予め定められた値であるＤ１になったら、タイミングｔ６３において、第１のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２５９】
タイミングｔ６２からタイミングｔ６３までの期間は、内部開始ポーチ期間Ｉｎｔ−ＶＢＰである。
【０２６０】
表示パネル制御部１１Ｆは、カウンタ１１Ｅの計数値が予め定められた値であるＤ２になったら、タイミングｔ６４において、第２のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２６１】
タイミングｔ６３からタイミングｔ６４までの期間は、第１のユニットの画像表示期間Ｔ３４である。
【０２６２】
表示パネル制御部１１Ｆは、カウンタ１１Ｅの計数値が予め定められた値であるＤ３になったら、タイミングｔ６５において、第３のユニットに含まれる３０水平ライン分の画像表示を開始する。表示パネル制御部１１Ｆは、内部水平同期信号Ｉｎｔ−Ｈｓｙｎｃに同期して、１水平ライン分ずつ画像表示を行う。
【０２６３】
タイミングｔ６４からタイミングｔ６５までの期間は、第２のユニットの画像表示期間Ｔ３５である。
【０２６４】
タイミングｔ６５において、第３のユニットの画像表示期間Ｔ３６が開始し、タイミングｔ６６において、第１０のユニットの画像表示期間Ｔ３７が終了する。
【０２６５】
タッチ検出制御部４０は、カウンタ１１Ｅの計数値が予め定められた値であるＤ４になったら、タイミングｔ６６において、自己静電容量方式のタッチ検出を行う。タッチ検出制御部４０は、駆動電極ＣＯＭＬにタッチ駆動信号Ｖｃｏｍｔｓ１を一斉に供給してＹ方向のタッチ検出を行うとともに、タッチ検出電極ＴＤＬにタッチ駆動信号Ｖｃｏｍｔｓ２を一斉に供給してＸ方向のタッチ検出を行っても良い。或いは、タッチ検出制御部４０は、Ｘ方向（又はＹ方向）の自己静電容量方式のタッチ検出を行い、Ｘ方向（又はＹ方向）の自己静電容量方式のタッチ検出が終わったら、Ｙ方向（又はＸ方向）の自己静電容量方式のタッチ検出を行っても良い。
【０２６６】
タイミングｔ６６から、タッチ検出が終了するタイミングｔ６７までの期間は、タッチ検出期間Ｔ３８である。
【０２６７】
タイミングｔ６７から、内部垂直同期信号Ｉｎｔ−Ｖｓｙｎｃがアサートされるタイミングｔ６８までの期間は、内部終了ポーチ期間Ｉｎｔ−ＶＦＰである。
【０２６８】
第２の動作モードでの第１のユニットの画像表示期間Ｔ３４（図２６参照）の長さと、第１の動作モードでの第１のユニットの画像表示期間Ｔ５（図１８参照）の長さとは、異なっても良い。第２の動作モードでの第１のユニットの画像表示期間Ｔ３４の長さは、第１の動作モードでの第１のユニットの画像表示期間Ｔ５の長さより、短くても良い。
【０２６９】
タッチ検出機能付き表示装置１は、予め定められたアプリケーション（例えば、動画再生アプリケーション）の実行時は第２の動作モードに遷移し、予め定められたアプリケーション以外のアプリケーション（例えば、ゲームアプリケーション）の実行時は第１の動作モードに遷移しても良い。
【０２７０】
本発明者が市販されている電子機器で動画再生アプリケーションを実行したところ、動画再生アプリケーション実行中は、マルチタッチがサポートされていないことが確認できた。つまり、需要者において、動画再生アプリケーションを実行中は、マルチタッチがサポートされないことが受け入れられていることが、確認できた。
【０２７１】
或いは、タッチ検出機能付き表示装置１は、第１の動作モードで予め定められた期間タッチが検出されなかったら第２の動作モードに遷移し、第２の動作モードでタッチが検出されたら第１の動作モードに遷移しても良い。
【０２７２】
［効果］
タッチ検出機能付き表示装置１は、次の効果を奏する。タッチ検出機能付き表示装置１は、第１の動作モードでは相互静電容量方式のタッチ検出を行い、第２の動作モードでは自己静電容量方式のタッチ検出を行う。自己静電容量方式のタッチ検出に要する時間は、相互静電容量方式のタッチ検出と比較して、相対的に短い。従って、タッチ検出機能付き表示装置１は、第２の動作モードでは、第１から第１０のユニットの各々の画像表示期間を長くすることができる。これにより、タッチ検出機能付き表示装置１は、画質の低下を抑制することができる。
【０２７３】
以上、本発明の好適な実施形態を説明したが、本発明はこのような実施形態に限定されるものではない。実施形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０２７４】
１  タッチ検出機能付き表示装置
２  画素基板
３  対向基板
６  液晶層
１０  タッチ検出機能付き表示部
１１  表示制御部
１１Ａ  メモリ
１１Ｂ  内部水平同期信号生成部
１１Ｃ  遅延回路
１１Ｄ  リセット信号出力部
１１Ｅ  カウンタ
１２  ゲートドライバ
１３  ソースドライバ
１３Ｓ  ソースセレクタ
１４  駆動電極ドライバ
１９  ＣＯＧ
２０  液晶表示デバイス
２１  ＴＦＴ基板
２２  画素電極
３０  タッチ検出デバイス
３１  第２絶縁基板
３２  カラーフィルタ
４０  タッチ検出制御部
４０Ａ  セルフスイッチ
４０Ｂ  セレクタ
４０Ｃ  タッチドライバ
４０Ｄ  コントローラ
ＣＧ  カバー部材
ＣＯＭＬ  駆動電極
ＣＴＲＬ  制御部
ＤＳＰ  表示部
ＧＣＬ  走査信号線
ＨＯＳＴ  ホスト
ＩＳ  入力面
Ｐｉｘ  画素
ＳＥ  タッチ検出部
ＳＧＬ  画素信号線
ＳＰｉｘ  副画素
ＴＤＬ  タッチ検出電極
Ｔ  フレキシブルプリント基板
Ｔｒ  ＴＦＴ素子
【図１】
2018045283.tif 000003
【図２】
2018045283.tif 000004
【図３】
2018045283.tif 000005
【図４】
2018045283.tif 000006
【図５】
2018045283.tif 000007
【図６】
2018045283.tif 000008
【図７】
2018045283.tif 000009
【図８】
2018045283.tif 000010
【図９】
2018045283.tif 000011
【図１０】
2018045283.tif 000012
【図１１】
2018045283.tif 000013
【図１２】
2018045283.tif 000014
【図１３】
2018045283.tif 000015
【図１４】
2018045283.tif 000016
【図１５】
2018045283.tif 000017
【図１６】
2018045283.tif 000018
【図１７】
2018045283.tif 000019
【図１８】
2018045283.tif 000020
【図１９】
2018045283.tif 000021
【図２０】
2018045283.tif 000022
【図２１】
2018045283.tif 000023
【図２２】
2018045283.tif 000024
【図２３】
2018045283.tif 000025
【図２４】
2018045283.tif 000026
【図２５】
2018045283.tif 000027
【図２６】
2018045283.tif 000028